(57)【要約】【課題】  情報信号記録媒体とバッファメモリとの間で第１，第２の情報信号の転送速度の差を吸収する情報信号再生方法を提供する。【解決手段】  前記媒体に対する1のピックアップヘッドによる第１，第２の情報信号への転送速度と、バッファメモリ内の第１，第２の情報信号の転送速度との差を吸収する際に、前記ヘッドによる第１，第２の情報信号への転送レートＲｐ、第１の情報信号の転送レートＲａ、第２の情報信号の転送レートＲｂ、バッファメモリの記憶容量Ｙｍ、前記ヘッドが前記媒体上での第１の領域から第２の領域に移動するシーク時間Ｔａｂ、前記ヘッドが前記媒体上での第２の領域から第１の領域に移動するシーク時間Ｔｂａとし、Ｙｍ＞｛（Ｒｐ−Ｒａ）×Ｒａ＋（Ｒｐ−Ｒｂ）×Ｒｂ｝×（Ｔａｂ＋Ｔｂａ＋Ｆａｂ＋Ｆｂａ）／（Ｒｐ−Ｒａ−Ｒｂ）を満足するように第１，第２の情報信号を再生する。【選択図】  図３
2004192787.tif 000002
【特許請求の範囲】
【請求項１】
第１，第２の情報信号を第１，第２の位置にそれぞれ記録した片方向から読み出し可能な少なくとも第１，第２の信号層を有する情報信号記録媒体を回転させるステップと、
前記情報信号記録媒体上の第１，第２の位置から時分割して再生した前記第１，第２の情報信号を一時的にバッファメモリに記憶して、前記第１，第２の情報信号を第１，第２の転送レートでそれぞれ出力するステップと、
前記情報信号記録媒体上の第１，第２の位置から時分割して再生した前記第１，第２の情報信号を前記第１，第２の転送レートより速い一定の転送レートで一つのヘッドから前記バッファメモリに時分割して転送するステップと、
前記ヘッドから該バッファメモリに転送する第１，第２の情報信号の転送レート…Ｒｐ、
前記第１の情報信号を該バッファメモリから出力する転送レート…Ｒａ、
前記第２の情報信号を該バッファメモリから出力する転送レート…Ｒｂ、
前記バッファメモリの容量…Ｙｍ、
前記ヘッドが前記情報信号記録媒体上の第１の位置から第２の位置に移動に要する時間…Ｔａｂ、
前記ヘッドが前記情報信号記録媒体上の第２の位置から第１の位置に移動に要する時間…Ｔｂａ、
前記ヘッドが前記情報信号記録媒体上の第１の信号層から第２の信号層に移動に要する時間…Ｆａｂ、
前記ヘッドが前記情報信号記録媒体上の第２の信号層から第１の信号層に移動に要する時間…Ｆｂａとし、
Ｙｍ＞｛（Ｒｐ−Ｒａ）×Ｒａ＋（Ｒｐ−Ｒｂ）×Ｒｂ｝×（Ｔａｂ＋Ｔｂａ＋Ｆａｂ＋Ｆｂａ）／（Ｒｐ−Ｒａ−Ｒｂ）
の関係式を満たして前記情報信号記録媒体から前記第１，第２の情報信号を再生するステップからなることを特徴とする情報信号再生方法。
【請求項２】
第１，第２の情報信号をそれぞれ記録する片方向から読み出し可能な少なくとも第１，第２の信号層を有する情報信号記録媒体を回転させるステップと、
第１，第２の転送レートでそれぞれ入力した前記第１，第２の情報信号を一時的にバッファメモリに記憶するステップと、
前記バッファメモリから時分割して読み出した前記第１，第２の情報信号を前記第１，第２の転送レートより速い一定の転送レートで一つのヘッドから前記情報信号記録媒体上の第１，第２の位置に時分割で記録するステップと、
前記ヘッドに該バッファメモリから転送する第１，第２の情報信号の転送レート…Ｒｐ、
前記第１の情報信号を該バッファメモリに入力する転送レート…Ｒａ、
前記第２の情報信号を該バッファメモリに入力する転送レート…Ｒｂ、
前記バッファメモリの容量…Ｙｍ、
前記ヘッドが前記情報信号記録媒体上の第１の位置から第２の位置に移動に要する時間…Ｔａｂ、
前記ヘッドが前記情報信号記録媒体上の第２の位置から第１の位置に移動に要する時間…Ｔｂａ、
前記ヘッドが前記情報信号記録媒体上の第１の信号層から第２の信号層に移動に要する時間…Ｆａｂ、
前記ヘッドが前記情報信号記録媒体上の第２の信号層から第１の信号層に移動に要する時間…Ｆｂａとし、
Ｙｍ＞｛（Ｒｐ−Ｒａ）×Ｒａ＋（Ｒｐ−Ｒｂ）×Ｒｂ｝×（Ｔａｂ＋Ｔｂａ＋Ｆａｂ＋Ｆｂａ）／（Ｒｐ−Ｒａ−Ｒｂ）
の関係式を満たして前記第１，第２の情報信号を前記情報信号記録媒体に記録するステップからなることを特徴とする情報信号記録方法。
【請求項３】
第１，第２の情報信号の内いずれか一方を記録し、他方を再生する記録再生用の片方向から読み出し可能な少なくとも第１，第２の信号層を有する情報信号記録媒体を回転させるステップと、
前記情報信号記録媒体上の第１の位置から再生した一方の情報信号を一時的にバッファメモリに記憶して、第１の転送レートで出力すると共に、第２の転送レートで入力した前記他方の情報信号を一時的に前記バッファメモリに記憶するステップと、
前記情報信号記録媒体上の第１の位置から再生した一方の情報信号を前記第１，第２の転送レートより速い一定の転送レートで前記バッファメモリに転送するステップと、前記バッファメモリに入力した他方の情報信号を前記転送レートで前記情報信号記録媒体上の第２の位置に記録するステップとを時分割して行うステップと、
前記ヘッドにより該バッファメモリ対して入出力される第１，第２の情報信号の転送レート…Ｒｐ、
前記第１の情報信号を該バッファメモリに入力する転送レート…Ｒａ、
前記第２の情報信号を該バッファメモリに入力する転送レート…Ｒｂ、
前記バッファメモリの容量…Ｙｍ、
前記ヘッドが前記情報信号記録媒体上の第１の位置から第２の位置に移動に要する時間…Ｔａｂ、
前記ヘッドが前記情報信号記録媒体上の第２の位置から第１の位置に移動に要する時間…Ｔｂａ、
前記ヘッドが前記情報信号記録媒体上の第１の信号層から第２の信号層に移動に要する時間…Ｆａｂ、
前記ヘッドが前記情報信号記録媒体上の第２の信号層から第１の信号層に移動に要する時間…Ｆｂａとし、
Ｙｍ＞｛（Ｒｐ−Ｒａ）×Ｒａ＋（Ｒｐ−Ｒｂ）×Ｒｂ｝×（Ｔａｂ＋Ｔｂａ＋Ｆａｂ＋Ｆｂａ）／（Ｒｐ−Ｒａ−Ｒｂ）
の関係式を満たして前記情報信号記録媒体に前記第１，第２の情報信号を記録再生するステップからなることを特徴とする情報信号記録再生方法。
【請求項４】
第１，第２の情報信号を第１，第２の位置にそれぞれ記録した片方向から読み出し可能な少なくとも第１，第２の信号層を有する情報信号記録媒体を回転させる手段と、
前記情報信号記録媒体上の第１，第２の位置から時分割して再生した前記第１，第２の情報信号を一時的にバッファメモリに記憶して、前記第１，第２の情報信号を第１，第２の転送レートでそれぞれ出力する手段と、
前記情報信号記録媒体上の第１，第２の位置から時分割して再生した前記第１，第２の情報信号を前記第１，第２の転送レートより速い一定の転送レートで一つのヘッドから前記バッファメモリに時分割して転送する手段と、
前記ヘッドから該バッファメモリに転送する第１，第２の情報信号の転送レート…Ｒｐ、
前記第１の情報信号を該バッファメモリから出力する転送レート…Ｒａ、
前記第２の情報信号を該バッファメモリから出力する転送レート…Ｒｂ、
前記バッファメモリの容量…Ｙｍ、
前記ヘッドが前記情報信号記録媒体上の第１の位置から第２の位置に移動に要する時間…Ｔａｂ、
前記ヘッドが前記情報信号記録媒体上の第２の位置から第１の位置に移動に要する時間…Ｔｂａ、
前記ヘッドが前記情報信号記録媒体上の第１の信号層から第２の信号層に移動に要する時間…Ｆａｂ、
前記ヘッドが前記情報信号記録媒体上の第２の信号層から第１の信号層に移動に要する時間…Ｆｂａとし、
Ｙｍ＞｛（Ｒｐ−Ｒａ）×Ｒａ＋（Ｒｐ−Ｒｂ）×Ｒｂ｝×（Ｔａｂ＋Ｔｂａ＋Ｆａｂ＋Ｆｂａ）／（Ｒｐ−Ｒａ−Ｒｂ）
の関係式を満たして前記情報信号記録媒体から前記第１，第２の情報信号を再生する手段からなることを特徴とする情報信号再生装置。
【請求項５】
第１，第２の情報信号をそれぞれ記録する片方向から読み出し可能な少なくとも第１，第２の信号層を有する情報信号記録媒体を回転させる手段と、
第１，第２の転送レートでそれぞれ入力した前記第１，第２の情報信号を一時的にバッファメモリに記憶する手段と、
前記バッファメモリから時分割して読み出した前記第１，第２の情報信号を前記第１，第２の転送レートより速い一定の転送レートで一つのヘッドから前記情報信号記録媒体上の第１，第２の位置に時分割で記録する手段と、
前記ヘッドに該バッファメモリから転送する第１，第２の情報信号の転送レート…Ｒｐ、
前記第１の情報信号を該バッファメモリに入力する転送レート…Ｒａ、
前記第２の情報信号を該バッファメモリに入力する転送レート…Ｒｂ、
前記バッファメモリの容量…Ｙｍ、
前記ヘッドが前記情報信号記録媒体上の第１の位置から第２の位置に移動に要する時間…Ｔａｂ、
前記ヘッドが前記情報信号記録媒体上の第２の位置から第１の位置に移動に要する時間…Ｔｂａ、
前記ヘッドが前記情報信号記録媒体上の第１の信号層から第２の信号層に移動に要する時間…Ｆａｂ、
前記ヘッドが前記情報信号記録媒体上の第２の信号層から第１の信号層に移動に要する時間…Ｆｂａとし、
Ｙｍ＞｛（Ｒｐ−Ｒａ）×Ｒａ＋（Ｒｐ−Ｒｂ）×Ｒｂ｝×（Ｔａｂ＋Ｔｂａ＋Ｆａｂ＋Ｆｂａ）／（Ｒｐ−Ｒａ−Ｒｂ）
の関係式を満たして前記第１，第２の情報信号を前記情報信号記録媒体に記録する手段からなることを特徴とする情報信号記録装置。
【請求項６】
第１，第２の情報信号の内いずれか一方を記録し、他方を再生する記録再生用の片方向から読み出し可能な少なくとも第１，第２の信号層を有する情報信号記録媒体を回転させる手段と、
前記情報信号記録媒体上の第１の位置から再生した一方の情報信号を一時的にバッファメモリに記憶して、第１の転送レートで出力すると共に、第２の転送レートで入力した前記他方の情報信号を一時的に前記バッファメモリに記憶する手段と、
前記情報信号記録媒体上の第１の位置から再生した一方の情報信号を前記第１，第２の転送レートより速い一定の転送レートで前記バッファメモリに転送するステップと、前記バッファメモリに入力した他方の情報信号を前記転送レートで前記情報信号記録媒体上の第２の位置に記録するステップとを時分割して行う手段と、
前記ヘッドにより該バッファメモリ対して入出力される第１，第２の情報信号の転送レート…Ｒｐ、
前記第１の情報信号を該バッファメモリに入力する転送レート…Ｒａ、
前記第２の情報信号を該バッファメモリに入力する転送レート…Ｒｂ、
前記バッファメモリの容量…Ｙｍ、
前記ヘッドが前記情報信号記録媒体上の第１の位置から第２の位置に移動に要する時間…Ｔａｂ、
前記ヘッドが前記情報信号記録媒体上の第２の位置から第１の位置に移動に要する時間…Ｔｂａ、
前記ヘッドが前記情報信号記録媒体上の第１の信号層から第２の信号層に移動に要する時間…Ｆａｂ、
前記ヘッドが前記情報信号記録媒体上の第２の信号層から第１の信号層に移動に要する時間…Ｆｂａとし、
Ｙｍ＞｛（Ｒｐ−Ｒａ）×Ｒａ＋（Ｒｐ−Ｒｂ）×Ｒｂ｝×（Ｔａｂ＋Ｔｂａ＋Ｆａｂ＋Ｆｂａ）／（Ｒｐ−Ｒａ−Ｒｂ）
の関係式を満たして前記情報信号記録媒体に前記第１，第２の情報信号を記録再生する手段からなることを特徴とする情報信号記録再生装置。
【発明の詳細な説明】
【技術分野】
【０００１】
本発明は、２つの映画等の映像情報や２つの音楽等の音声情報などによる第１，第２の情報信号を、バッファメモリを介して一つのピックアップ（又はヘッド）により時分割で光などの少なくとも２層の信号面を有するディスク状記録媒体に対して記録及び／又は再生(記録、再生、記録再生)する情報信号再生方法、情報信号記録方法、情報信号記録再生方法、情報信号再生装置、情報信号記録装置及び
情報信号記録再生装置に関するものである。
【背景技術】
【０００２】
従来、情報信号記録媒体として光ディスクを適用する光ディスク装置（例えばＤＶＤプレーヤ、ＤＶＤレコーダ、ＤＶＤドライブとＰＣとソフトウェアによる組み合わせ）などでは、映画等の映像情報や音楽等の音声情報などの情報信号を圧縮して１つの光ピックアップにより光ディスクに記録し、再生時に光ディスクから光ピックアップにより読み出した圧縮情報信号を伸長しており、更に、特許
文献１には、複数の（２つの）映画等の映像情報や音楽等の音声情報などの情報信号を圧縮して１つの光ピックアップにより光ディスクに記録し、再生時に光ディスクから光ピックアップにより読み出した圧縮情報信号を伸長する等の同時記録再生、同時再生中再生、同時記録中記録の処理を、２つの映画等の映像情報や音楽等の音声情報などの情報信号の転送レートと、光ディスクに記録再生する信
号の転送レートと、２つの映画等の映像情報や音楽等の音声情報などの情報信号間の移動時間との関係に基づいて、バッファメモリで吸収することにより実現することを開示している。
【特許文献１】特開２００１−１６７５１９号公報
【発明の開示】
【発明が解決しようとする課題】
【０００３】
ところで、上記特許文献１に開示された記録再生装置では、一つの信号面間における２つの信号間の移動という観点での処理として記録再生動作を良好に行うことができるように構成されているが、近年、光ディスクなどの情報信号記録媒体の高密度、大容量化に伴い、少なくとも２つの情報信号面を有する情報信号記録媒体の異なる領域に一つの光ピックアップヘッドにより２つの情報信号を交互
に記録及び／又は再生することが要求されており、本発明は上記の要求を満たすために従来の技術に対して改良を図ったものである。
【課題を解決するための手段】
【０００４】
本発明は上記課題に鑑みてなされたものであり、下記する(１)〜(６)の構成を有する情報信号再生方法、情報信号記録方法、情報信号記録再生方法、情報信号再生装置、情報信号記録装置及び情報信号記録再生装置を提供する。
(１)  第１，第２の情報信号を第１，第２の位置にそれぞれ記録した片方向から読み出し可能な少なくとも第１，第２の信号層を有する情報信号記録媒体を回転させるステップと、
前記情報信号記録媒体上の第１，第２の位置から時分割して再生した前記第１，第２の情報信号を一時的にバッファメモリに記憶して、前記第１，第２の情報信号を第１，第２の転送レートでそれぞれ出力するステップと、
前記情報信号記録媒体上の第１，第２の位置から時分割して再生した前記第１，第２の情報信号を前記第１，第２の転送レートより速い一定の転送レートで一つのヘッドから前記バッファメモリに時分割して転送するステップと、
前記ヘッドから該バッファメモリに転送する第１，第２の情報信号の転送レート…Ｒｐ、
前記第１の情報信号を該バッファメモリから出力する転送レート…Ｒａ、
前記第２の情報信号を該バッファメモリから出力する転送レート…Ｒｂ、
前記バッファメモリの容量…Ｙｍ、
前記ヘッドが前記情報信号記録媒体上の第１の位置から第２の位置に移動に要する時間…Ｔａｂ、
前記ヘッドが前記情報信号記録媒体上の第２の位置から第１の位置に移動に要する時間…Ｔｂａ、
前記ヘッドが前記情報信号記録媒体上の第１の信号層から第２の信号層に移動に要する時間…Ｆａｂ、
前記ヘッドが前記情報信号記録媒体上の第２の信号層から第１の信号層に移動に要する時間…Ｆｂａとし、
Ｙｍ＞｛（Ｒｐ−Ｒａ）×Ｒａ＋（Ｒｐ−Ｒｂ）×Ｒｂ｝×（Ｔａｂ＋Ｔｂａ＋Ｆａｂ＋Ｆｂａ）／（Ｒｐ−Ｒａ−Ｒｂ）
の関係式を満たして前記情報信号記録媒体から前記第１，第２の情報信号を再生するステップからなることを特徴とする情報信号再生方法。
(２)  第１，第２の情報信号をそれぞれ記録する片方向から読み出し可能な少なくとも第１，第２の信号層を有する情報信号記録媒体を回転させるステップと、
第１，第２の転送レートでそれぞれ入力した前記第１，第２の情報信号を一時的にバッファメモリに記憶するステップと、
前記バッファメモリから時分割して読み出した前記第１，第２の情報信号を前記第１，第２の転送レートより速い一定の転送レートで一つのヘッドから前記情報信号記録媒体上の第１，第２の位置に時分割で記録するステップと、
前記ヘッドに該バッファメモリから転送する第１，第２の情報信号の転送レート…Ｒｐ、
前記第１の情報信号を該バッファメモリに入力する転送レート…Ｒａ、
前記第２の情報信号を該バッファメモリに入力する転送レート…Ｒｂ、
前記バッファメモリの容量…Ｙｍ、
前記ヘッドが前記情報信号記録媒体上の第１の位置から第２の位置に移動に要する時間…Ｔａｂ、
前記ヘッドが前記情報信号記録媒体上の第２の位置から第１の位置に移動に要する時間…Ｔｂａ、
前記ヘッドが前記情報信号記録媒体上の第１の信号層から第２の信号層に移動に要する時間…Ｆａｂ、
前記ヘッドが前記情報信号記録媒体上の第２の信号層から第１の信号層に移動に要する時間…Ｆｂａとし、
Ｙｍ＞｛（Ｒｐ−Ｒａ）×Ｒａ＋（Ｒｐ−Ｒｂ）×Ｒｂ｝×（Ｔａｂ＋Ｔｂａ＋Ｆａｂ＋Ｆｂａ）／（Ｒｐ−Ｒａ−Ｒｂ）
の関係式を満たして前記第１，第２の情報信号を前記情報信号記録媒体に記録するステップからなることを特徴とする情報信号記録方法。
(３)  第１，第２の情報信号の内いずれか一方を記録し、他方を再生する記録再生用の片方向から読み出し可能な少なくとも第１，第２の信号層を有する情報信号記録媒体を回転させるステップと、
前記情報信号記録媒体上の第１の位置から再生した一方の情報信号を一時的にバッファメモリに記憶して、第１の転送レートで出力すると共に、第２の転送レートで入力した前記他方の情報信号を一時的に前記バッファメモリに記憶するステップと、
前記情報信号記録媒体上の第１の位置から再生した一方の情報信号を前記第１，第２の転送レートより速い一定の転送レートで前記バッファメモリに転送するステップと、前記バッファメモリに入力した他方の情報信号を前記転送レートで前記情報信号記録媒体上の第２の位置に記録するステップとを時分割して行うステップと、
前記ヘッドにより該バッファメモリ対して入出力される第１，第２の情報信号の転送レート…Ｒｐ、
前記第１の情報信号を該バッファメモリに入力する転送レート…Ｒａ、
前記第２の情報信号を該バッファメモリに入力する転送レート…Ｒｂ、
前記バッファメモリの容量…Ｙｍ、
前記ヘッドが前記情報信号記録媒体上の第１の位置から第２の位置に移動に要する時間…Ｔａｂ、
前記ヘッドが前記情報信号記録媒体上の第２の位置から第１の位置に移動に要する時間…Ｔｂａ、
前記ヘッドが前記情報信号記録媒体上の第１の信号層から第２の信号層に移動に要する時間…Ｆａｂ、
前記ヘッドが前記情報信号記録媒体上の第２の信号層から第１の信号層に移動に要する時間…Ｆｂａとし、
Ｙｍ＞｛（Ｒｐ−Ｒａ）×Ｒａ＋（Ｒｐ−Ｒｂ）×Ｒｂ｝×（Ｔａｂ＋Ｔｂａ＋Ｆａｂ＋Ｆｂａ）／（Ｒｐ−Ｒａ−Ｒｂ）
の関係式を満たして前記情報信号記録媒体に前記第１，第２の情報信号を記録再生するステップからなることを特徴とする情報信号記録再生方法。
(４)  第１，第２の情報信号を第１，第２の位置にそれぞれ記録した片方向から読み出し可能な少なくとも第１，第２の信号層を有する情報信号記録媒体を回転させる手段と、
前記情報信号記録媒体上の第１，第２の位置から時分割して再生した前記第１，第２の情報信号を一時的にバッファメモリに記憶して、前記第１，第２の情報信号を第１，第２の転送レートでそれぞれ出力する手段と、
前記情報信号記録媒体上の第１，第２の位置から時分割して再生した前記第１，第２の情報信号を前記第１，第２の転送レートより速い一定の転送レートで一つのヘッドから前記バッファメモリに時分割して転送する手段と、
前記ヘッドから該バッファメモリに転送する第１，第２の情報信号の転送レート…Ｒｐ、
前記第１の情報信号を該バッファメモリから出力する転送レート…Ｒａ、
前記第２の情報信号を該バッファメモリから出力する転送レート…Ｒｂ、
前記バッファメモリの容量…Ｙｍ、
前記ヘッドが前記情報信号記録媒体上の第１の位置から第２の位置に移動に要する時間…Ｔａｂ、
前記ヘッドが前記情報信号記録媒体上の第２の位置から第１の位置に移動に要する時間…Ｔｂａ、
前記ヘッドが前記情報信号記録媒体上の第１の信号層から第２の信号層に移動に要する時間…Ｆａｂ、
前記ヘッドが前記情報信号記録媒体上の第２の信号層から第１の信号層に移動に要する時間…Ｆｂａとし、
Ｙｍ＞｛（Ｒｐ−Ｒａ）×Ｒａ＋（Ｒｐ−Ｒｂ）×Ｒｂ｝×（Ｔａｂ＋Ｔｂａ＋Ｆａｂ＋Ｆｂａ）／（Ｒｐ−Ｒａ−Ｒｂ）
の関係式を満たして前記情報信号記録媒体から前記第１，第２の情報信号を再生する手段からなることを特徴とする情報信号再生装置。
(５)  第１，第２の情報信号をそれぞれ記録する片方向から読み出し可能な少なくとも第１，第２の信号層を有する情報信号記録媒体を回転させる手段と、
第１，第２の転送レートでそれぞれ入力した前記第１，第２の情報信号を一時的にバッファメモリに記憶する手段と、
前記バッファメモリから時分割して読み出した前記第１，第２の情報信号を前記第１，第２の転送レートより速い一定の転送レートで一つのヘッドから前記情報信号記録媒体上の第１，第２の位置に時分割で記録する手段と、
前記ヘッドに該バッファメモリから転送する第１，第２の情報信号の転送レート…Ｒｐ、
前記第１の情報信号を該バッファメモリに入力する転送レート…Ｒａ、
前記第２の情報信号を該バッファメモリに入力する転送レート…Ｒｂ、
前記バッファメモリの容量…Ｙｍ、
前記ヘッドが前記情報信号記録媒体上の第１の位置から第２の位置に移動に要する時間…Ｔａｂ、
前記ヘッドが前記情報信号記録媒体上の第２の位置から第１の位置に移動に要する時間…Ｔｂａ、
前記ヘッドが前記情報信号記録媒体上の第１の信号層から第２の信号層に移動に要する時間…Ｆａｂ、
前記ヘッドが前記情報信号記録媒体上の第２の信号層から第１の信号層に移動に要する時間…Ｆｂａとし、
Ｙｍ＞｛（Ｒｐ−Ｒａ）×Ｒａ＋（Ｒｐ−Ｒｂ）×Ｒｂ｝×（Ｔａｂ＋Ｔｂａ＋Ｆａｂ＋Ｆｂａ）／（Ｒｐ−Ｒａ−Ｒｂ）
の関係式を満たして前記第１，第２の情報信号を前記情報信号記録媒体に記録する手段からなることを特徴とする情報信号記録装置。
(６)  第１，第２の情報信号の内いずれか一方を記録し、他方を再生する記録再生用の片方向から読み出し可能な少なくとも第１，第２の信号層を有する情報信号記録媒体を回転させる手段と、
前記情報信号記録媒体上の第１の位置から再生した一方の情報信号を一時的にバッファメモリに記憶して、第１の転送レートで出力すると共に、第２の転送レートで入力した前記他方の情報信号を一時的に前記バッファメモリに記憶する手段と、
前記情報信号記録媒体上の第１の位置から再生した一方の情報信号を前記第１，第２の転送レートより速い一定の転送レートで前記バッファメモリに転送するステップと、前記バッファメモリに入力した他方の情報信号を前記転送レートで前記情報信号記録媒体上の第２の位置に記録するステップとを時分割して行う手段と、
前記ヘッドにより該バッファメモリ対して入出力される第１，第２の情報信号の転送レート…Ｒｐ、
前記第１の情報信号を該バッファメモリに入力する転送レート…Ｒａ、
前記第２の情報信号を該バッファメモリに入力する転送レート…Ｒｂ、
前記バッファメモリの容量…Ｙｍ、
前記ヘッドが前記情報信号記録媒体上の第１の位置から第２の位置に移動に要する時間…Ｔａｂ、
前記ヘッドが前記情報信号記録媒体上の第２の位置から第１の位置に移動に要する時間…Ｔｂａ、
前記ヘッドが前記情報信号記録媒体上の第１の信号層から第２の信号層に移動に要する時間…Ｆａｂ、
前記ヘッドが前記情報信号記録媒体上の第２の信号層から第１の信号層に移動に要する時間…Ｆｂａとし、
Ｙｍ＞｛（Ｒｐ−Ｒａ）×Ｒａ＋（Ｒｐ−Ｒｂ）×Ｒｂ｝×（Ｔａｂ＋Ｔｂａ＋Ｆａｂ＋Ｆｂａ）／（Ｒｐ−Ｒａ−Ｒｂ）
の関係式を満たして前記情報信号記録媒体に前記第１，第２の情報信号を記録再生する手段からなることを特徴とする情報信号記録再生装置。
【発明の効果】
【０００５】
本発明によれば、一つのヘッドによる第１，第２の情報信号への転送レート…Ｒｐ、第１の情報信号の転送レート…Ｒａ、第２の情報信号の転送レート…Ｒｂ、バッファメモリの記憶容量Ｙｍ、ヘッドが情報信号記録媒体上の第１の領域から第２の領域に移動するシーク時間…Ｔａｂ、ヘッドが情報信号記録媒体上の第２の領域から第１の領域に移動するシーク時間…Ｔｂａ、前記ヘッドが前記情報信号記録媒体上の第１の信号層から第２の信号層に移動に要する時間…Ｆａｂ、前記ヘッドが前記情報信号記録媒体上の第２の信号層から第１の信号層に移動に要する時間…Ｆｂａとし、とし、Ｙｍ＞｛（Ｒｐ−Ｒａ）×
Ｒａ＋（Ｒｐ−Ｒｂ）×Ｒｂ｝×（Ｔａｂ＋Ｔｂａ＋Ｆａｂ＋Ｆｂａ）／（Ｒｐ−Ｒａ−Ｒｂ）を満足するように関係式を導いたので、これにより、情報信号記録媒体の最大の転送能力を引き出すことができ、且つ、バッファメモリ内で第１，第２の情報信号の領域を効率よく分割できると共に、ユーザとしてはスムースに第１，第２の情報信号の連続再生、連続記録、または連続記録再生等の機能が得られるなどの効果を奏するものである。
【０００６】
また、装置内に設けたバッファメモリは、第１の情報信号を一時的に記憶する第１の領域と、第２の情報信号を一時的に記憶する第２の領域とを、第１，第２の情報信号の転送レートの値に応じて分割するとか、あるいは、第１，第２の情報信号のそれぞれの記録または再生のモードに応じて分割したため、バッファメモリの効率を高めることができる。
【発明を実施するための最良の形態】
【０００７】
以下に本発明に係る情報信号再生装置、情報信号記録装置、情報信号記録再生装置、情報信号通信装置、情報信号再生媒体の一実施例を図１乃至図１５を参照して＜第１実施例＞，＜第２実施例＞の順に詳細に説明する。
【０００８】
＜第１実施例＞
図１は本発明に係る第１実施例の情報信号記録及び／又は再生装置の全体構成を説明するためのブロック図である。
【０００９】
図１に示した如く、本発明に係る第１実施例の情報信号記録及び／又は再生装置１０Ａでは、記録及び／又は再生媒体として複数の信号層を有するＤＶＤ−ＲＯＭ，ＤＶＤ−ＲＡＭ，ＤＶＤ−ＲＷ，ＤＶＤ−Ｒ、ＤＶＤ＋ＲＷ、ＤＶＤ＋Ｒ、ＨＤ−ＤＶＤ（青レーザを使用した高密度ＤＶＤ）、ＢＤ規格などの光ディスク等や磁気ディスク等に適用できるものであるが、以下の実施例では媒体としてＤＶＤ−ＲＷ規格に基づく２層の光ディスクを適用した場合について説明する。
【００１０】
図１に示した如く、本発明に係る第１実施例の情報信号記録及び／又は再生装置（光ディスクプレーヤ）１０では、スピンドルモータ１１の軸に取り付けたターンテーブル１２上に光ディスク（片側から記録再生が可能な２層の情報信号記録媒体）１３が回転自在に設けられている。図１３に本実施例に用いる２つのタイプとも記録再生が可能な２層のディスクを示す。タイプ１は記録再生を行うピックアップ（ＰＵ）から奥側がレイヤー０（Ｌ０）と、手前側が半透過するレイヤー１（Ｌ１）からなり、パラレルディスクとも呼ばれるように内周（ｉｎ）から外周（ｏｕｔ）に向かって螺旋溝が存在し、２つの信号層共に３００００ｈのアドレスから増加するアドレスに従って情報の記録領域が開始されるように構成されている。
【００１１】
タイプ２は記録再生を行うピックアップ（ＰＵ）から奥側がレイヤー０（Ｌ０）と、手前側が半透過するレイヤー１（Ｌ１）からなり、オポジットとも呼ばれるように、レイヤー０（Ｌ０）は内周（ｉｎ）から外周（ｏｕｔ）に向かって螺旋溝が存在し、３００００ｈのアドレスから増加するアドレスに従って情報の記録領域が開始されていて、レイヤー１（Ｌ１）は外周（ｏｕｔ）から内周（ｉｎ）に向かって螺旋溝が存在し、レイヤー０（Ｌ０）からのアドレスが引き続いて増加するように構成されていて、そのアドレスに従って記録されているように構成されている。レイヤー１（Ｌ１）のアドレスはレイヤー０（Ｌ０）のアドレスから引き続いて増加する方向に記録されているが、数値は補数として記録されていてもよい。
【００１２】
また、光ディスク１３と対向して光学式のヘッド（以下、光ピックアップと記す）１４が光ディスク１３の径方向に移動自在に設けられている。上記光ピックアップ１４は、再生専用の光ディスク１３に対しては再生可能である一方、記録再生用の光ディスク１３に対しては記録再生可能になっており、図示を省略するものの内部に設けた半導体レーザーを光源とし、コリメータレンズ、対物レンズ等により光ディスク１３上にレーザースポットを照射する。この際、半導体レーザーはレーザー駆動回路により駆動されるが、オーディオ信号とかビデオ信号などの情報信号を記録する場合には入力した情報信号は波形補正回路により波形補正された後にレーザー駆動回路へ入力される。
【００１３】
また、複数のキー２３の選択操作により記録及び／又は再生開始の指令をシステムコントローラ２２が判断して信号処理回路１８、サーボ回路１７に指令し、光ピックピック１４から読み出した信号はプリアンプ１６により、再生信号とフォーカスエラー信号とトラッキングエラー信号のサーボ信号とを生成し、光ピックアップ１４はサーボ回路１７でフォーカスエラー信号とトラッキングエラー信号の前記サーボ信号を処理することにより、光ディスク１３上のトラックに対してフォーカシング，トラッキングの制御信号を生成し、ドライバー回路１５により光ピックアップ１４内のアクチュエータを駆動することにより光ピックアップ１４の一巡のサーボ制御を行い、光ディスク１３上のコントロールデータに基づいて、光ディスク１３上の目的のトラックのセクターを再生するように光ピックアップ１４をフィードモータにより光ディスク１３の径方向に移動する。図１３に示したように２つの記録再生層を持つディスクの信号層間を光ピックアップ１４を移動させるために、前記プリアンプ１６により得たフォーカスエラー信号に基づいて、サーボ回路１７でフォーカスエラー信号と信号を処理することにより、光ディスク１３の信号面間を移動するフォーカシング制御信号を生成し、ドライバー回路１５により光ピックアップ１４内のアクチュエータを駆動することにより光ピックアップ１４のフォーカスジャンプ制御（信号面間移動）を行う。
【００１４】
また、光ピックアップ１４から一つの訂正ブロックを最小の単位として読み出した再生信号は、プリアンプ１６で再生信号をイコライザーで周波数特性を最適化し、ＰＬＬをかけ、また、ＰＬＬのビットクロックと、データの時間軸の比較から生成したジッタ生成回路を持っていて、このジッタ値をシステムコントローラ２２がＡ／Ｄ変換して測定しこの値に従って記録時の波形補正回路を変更する。
【００１５】
また、信号処理回路１８にて、ディジタル信号に変換され、例えば同期検出を行い、光ディスク１３上のＥＦＭ＋信号から、ＮＲＺＩデータにデコードされ、訂正ブロック単位でエラー訂正処理を行い、セクターのアドレス信号と後述する第１，第２の情報信号を得る。これら第１，第２の情報信号は、可変転送レートで圧縮された信号であるので、これを、一時記憶手段となる６４ＭビットのＤＲＡＭを用いたトラック・バッファメモリ１９に一つの訂正ブロックを最小の単位として一時的に記憶し、第１，第２の情報信号の可変転送レートの時間軸の吸収を行う。トラック・バッファメモリ１９から読み出された信号は、オーディオ・ビデオ／エンコーダ・デコーダ（以下、ＡＶ−ＥＮＤＥＣと記す）２０内のデコーダにより、ＭＰＥＧ２に基づいて圧縮した第１，第２の情報信号からオーディ
オ信号とビデオ信号とを伸長して分離し、これらオーディオ信号とビデオ信号とをそれぞれ図示しないＤ／Ａコンバータにより、音声と映像信号として出力している。
【００１６】
このＡＶ−ＥＮＤＥＣ２０では、光ディスク１３上に書かれたコントロールデータにより、後述する記録モードに対応して、伸長する速度が決定されこれに従って伸長が行われると共に、バッファメモリ２１が接続されている。
【００１７】
また、プリアンプ１６のＰＬＬで生成した光ディスク１３の速度信号をサーボ回路１７に送り、この速度信号により、光ディスク１３をＣＬＶでの回転制御を行っている。また、スピンドルモータ１１のホール素子などの回転位置信号をサーボ回路１７へ帰還し、この信号から生成した速度信号から、一定回転のＦＧ制御も持っている構成としている。このＬＳＩ間の全体の制御を、システムコントローラ２２が行っている。
【００１８】
また、記録したい画像の解像度や、カーレースなどのスピードの速いシーン等を取り分ける場合や、記録時間優先で設定するために、キー入力や外部よりの制御データをシステムコントローラ２２内のマイコンが認識し、切り替え端子をもっていて、これにより記録時間を変更可能とし、設定を外部のユーザーが選択出来るようになっている。
【００１９】
また、後述するように、ユーザーは光ディスク１３に記録してある映像信号等を再生することや、映像信号を記録する他、現在記録中の映像信号をそのまま記録している状態で、光ディスク１３上の異なる領域の映像信号等を再生することができるように構成されている。また、現在再生中の映像信号をそのまま再生している状態で、光ディスク１３上の異なる領域の映像信号等を記録することができるように構成されている。また、同様に、現在再生中の映像信号をそのまま再生している状態で、光ディスク１３の異なる領域の映像信号等を再生することがができるように構成されている。また、同様に、現在記録中の映像信号をそのまま記録している状態で、光ディスク１３上の異なる領域の映像信号等を記録することができるように構成されている。これにより、ユーザーは、ピクチャーインピクチャーや２画面同時再生等の同時再生や、追っかけ再生や、アフレコ記録や、裏番組同時記録等の機能を楽しむことができる。
【００２０】
ここで、本発明に係る第１実施例の情報信号記録及び／又は再生装置１０Ａにおいて、光ディスク１３上の異なる領域に、２つの映画等の映像情報や２つの音楽等の音声情報などによる第１，第２の情報信号を、トラック・バッファメモリ１９を介して一つの光ピックアップ１４により時分割で記録及び／又は再生する場合について図２を用いて説明する。
尚、第１，第２の情報信号のうちでいずれか一方のみをトラック・バッファメモリ１９を介して一つの光ピックアップ１４により記録及び／又は再生することも当然可能であるがこの場合の説明は省略する。
【００２１】
図２は本発明に係る第１実施例の情報信号記録及び／又は再生装置において、光ディスク上の第１，第２の領域と、トラック・バッファメモリ上の第１，第２の領域との間で、第１，第２の情報信号を一つの光ピックアップにより時分割で記録及び／又は再生する状態を模式的に示した図である。尚、図２中では説明をわかりやすくするためにプリアンプ，信号処理回路の図示を省略している。
【００２２】
図２に示した如く、光ディスク１３上の第１の領域１３ａは記録容量Ｙａを記録再生の最小単位（例えば図４のアドレスＡ１領域）とする第１の情報信号Ａを記録する領域であり、第２の領域１３ｂは記録容量Ｙｂを記録再生の最小単位（例えば図４のアドレスＢ１領域）とする第２の情報信号Ｂを記録する領域であるものとする。この際、第１の情報信号Ａと第２の情報信号Ｂとは、互いに関連のある情報である場合と、全く関連のない情報である場合のいずれでも良い。ここにおける光ディスク１３上の第１の領域１３ａと第２の領域１３ｂは、図１３に示すような光ディスク１３の信号層のＬ０上であってもよいし、光ディスク１３の信号層のＬ１上であってもよいし、光ディスク１３の第１の領域１３ａは信号層のＬ０上で、第２の領域１３ｂは信号層のＬ１上であっても、またこの逆の関係であってもよい。この関係は後述する図３、図７、図１０についても同様である。
【００２３】
また、トラック・バッファメモリ１９上の第１の領域１９ａは第１の情報信号Ａを一時的に記憶する領域であり、第２の領域１９ｂは第２の情報信号Ｂを一時的に記憶する領域であるものとする。
【００２４】
また、一つの光ピックアップ１４は、第１の情報信号Ａと第２の情報信号Ｂとを光ディスク１３とトラック・バッファメモリ１９との間で時分割に転送するものであり、且つ、光ピックアップ１４による第１，第２の情報信号Ａ，Ｂへの転送レートＲｐは一定に設定されており、この一定の転送レートＲｐは例えば２５Ｍｂｐｓであるものとする。上記した一つの光ピックアップ１４による第１，第２の情報信号Ａ，Ｂへの転送レートＲｐは、後述する第１，第２の情報信号Ａ，Ｂの転送レートＲａ，Ｒｂよりも速い値に設定されている。
【００２５】
また、トラック・バッファメモリ１９とＡＶ−ＥＮＤＥＣ２０との間で第１，第２の情報信号Ａ，Ｂを転送するものであり、この時に第１の情報信号Ａの転送レートを転送レートＲａとし、第２の情報信号Ｂの転送レートを転送レートＲｂとする。そして、本発明では、後述するように第１の情報信号Ａと第２の情報信号Ｂとを連続して同時に記録及び／又は再生できることを特徴とするものである。
【００２６】
ここで、第１，第２の情報信号Ａ，Ｂの転送レートＲａ，Ｒｂは、ユーザーが画質優先（転送レート優先）での選択が可能であり、下記ａ〜ｃに示す例えば、８Ｍｂｐｓ，４Ｍｂｐｓ，２Ｍｂｐｓのモードのうちのいずれかの転送レートとする。
ａ．高画質用の転送レートで例えば８Ｍｂｐｓの記録時間２時間のモード、
ｂ．やや高画質用の転送レートで例えば４Ｍｂｐｓの記録時間４時間のモード、
ｃ．普通画質用の転送レートで例えば２Ｍｂｐｓの記録時間８時間のモード、
の３種類のモードを用意し、光ディスク１３への記録時にはユーザーによるキー入力でモードを指定することで第１，第２の情報信号Ａ，Ｂの転送レートＲａ，Ｒｂが設定される一方、光ディスク１３からの再生時には再生信号中の第１，第２の情報信号Ａ，Ｂのコントロールデータから記録時の圧縮レートを読み出し、この値に従って、第１，第２の情報信号Ａ，Ｂの転送レートＲａ，Ｒｂが設定されるものとする。
【００２７】
また、図１に示したシステムコントローラ２２は、６４Ｍビットのトラック・バッファメモリ１９内の第１，第２の領域１９ａ，１９ｂを第１，第２情報信号Ａ，Ｂの転送レートＲａ，Ｒｂの値（＝Ｒａ：Ｒｂ）に応じて分割設定すると共に、各領域１９ａ，１９ｂには記憶容量が空状態を示すＥＭＰＴＹ値と記憶容量が満杯状態を示すＦＵＬＬ値とを第１，第２の情報信号Ａ，Ｂの転送レートＲａ，Ｒｂの値に応じて設定するものとする。そして、システムコントローラ２２は、トラック・バッファメモリ１９内の各領域１９ａ，１９ｂのＥＭＰＴＹ値とＦＵＬＬ値との間の記憶残量を常に監視している。
【００２８】
尚、異なる実施形態としては、前記のように第１，第２情報信号Ａ，Ｂの転送レートＲａ，Ｒｂの値によってトラック・バッファメモリ１９内の第１，第２の領域１９ａ，１９ｂを分割するのではなく、記録モードまたは再生のモードによって分割する。例えば、２つの情報信号Ａ，Ｂ共に同じ転送レートであるとして、一方の情報信号Ａ（Ｂ）を再生し、他方の情報信号Ｂ（Ａ）を記録する場合、再生信号は多少再生時に再生の連続性が損なわれても大きな問題にはならないが、記録信号は連続して記録できない場合には、致命的な欠陥になるので、例えば記録の方を優先してトラック・バッファメモリ１９内で領域を多く占有しておく。この処理は、システムコントローラ２２が記録または再生の指示を入力した時点で、前記同様に、トラック・バッファメモリ１９中にあるデータを確認し、再生または記録中の途中データが無いことを確認した時点で行う。
【００２９】
次に、トラック・バッファメモリ１９内の第１，第２の領域１９ａ，１９ｂを転送レートＲａ，Ｒｂの値に応じて分割設定した条件下で、第１，第２の情報信号Ａ，Ｂを光ディスク１３から再生する形態を適用した情報信号再生装置と、第１，第２の情報信号Ａ，Ｂを光ディスク１３に記録する形態を適用した情報信号記録装置と、第１，第２の情報信号Ａ，Ｂのいずれか一方を光ディスク１３から再生し且つ他方を光ディスク１３に記録する形態を適用した情報信号記録再生装置とについて図３乃至図１２を用いて順に説明する。
【００３０】
＜情報信号再生装置＞
図３は第１，第２の情報信号を光ディスクから再生する形態を適用した情報信号再生装置を模式的に示した図、図４は光ディスク上で第１，第２の領域のアドレスを示した図、図５は第１，第２の情報信号を光ディスクから再生する状態を示したフローチャート、図６は第１，第２の情報信号を光ディスクから再生する状態を示したタイミングチャートである。
【００３１】
図３に示した如く、光ディスク１３は再生専用に形成されており、この光ディスク１３上には記録容量Ｙａを有する第１の情報信号Ａが第１の領域１３ａに予め記録され、且つ、記録容量Ｙｂを有する第２の情報信号Ｂが第２の領域１３ｂに予め記録されているものである。ここにおける光ディスク１３上の第１の領域１３ａと第２の領域１３ｂは、前記したように図１３に示すような光ディスク１３の信号層のＬ０上であってもよいし、光ディスク１３の信号層のＬ１上であってもよいし、光ディスク１３の第１の領域１３ａは信号層のＬ０上で、第２の領域１３ｂは信号層のＬ１上であっても、またこの逆の関係であってもよい。
【００３２】
また、図４に示した如く、光ディスク１３上の第１の領域１３ａは、後述するシーク時間が守れる範囲内で複数の領域に分離され且つ各領域ごとにアドレスＡ１，Ａ２，Ａ３，…が付与されて第１の情報信号Ａがそれぞれ分割して記録されている。同様に、光ディスク１３上の第２の領域１３ｂも後述するシーク時間が守れる範囲内で複数に分離され且つ各領域ごとにアドレスＢ１，Ｂ２，Ｂ３，…付与されて第２の情報信号Ｂがそれぞれ分割して記録されている。この際、最初に再生する第１の領域１３ａ中で１番目のアドレス領域Ａ１と次に再生する第２の領域１３ｂ中で１番目のアドレス領域Ｂ１との間は、光ピックアップ１４が例えば０．５秒以内に移動できる範囲に設定されており、言い換えると、全体的には第１の情報信号Ａと次に再生する第２の情報信号Ｂとの間を移動する光ピックアップ１４のシーク時間は最大で０．５秒以内である。
【００３３】
また、光ディスク１３の再生時には、光ピックアップ１４が所定の再生トラックに移動し、開始セクターを待ち、再生信号中の記録されている第１，第２の情報信号Ａ，Ｂのコントロールデータから記録時の圧縮レートを読み出し、この値に従って、信号処理回路１８（図１）に接続された６４ＭＢのトラック・バッファメモリ１９内の第１の領域１９ａと第２の領域１９ｂの記憶容量領域を分離し、且つ、各領域１９ａ，１９ｂのＥＭＰＴＹ値及びＦＵＬＬ値をそれぞれ設定している。
【００３４】
ここで、光ピックアップ１４は光ディスク１３上の第１の領域１３ａに記録されている第１の情報信号Ａと、第２の領域１３ｂに記録されている第２の情報信号Ｂとを時分割で交互に再生して、再生して得た第１の情報信号Ａをトラック・バッファメモリ１９内の第１の領域１９ａに、再生して得た第２の情報信号Ｂをトラック・バッファメモリ１９内の第２の領域１９ｂにそれぞれ時分割で一定の転送レートＲｐ（例えば２５Ｍｂｐｓ）で交互に一時的に記憶させる。この際、光ピックアップ１４による第１，第２の情報信号Ａ，Ｂへの転送レートは、トラック・バッファメモリ１９に一時記憶した第１，第２の情報信号Ａ，Ｂが出力する際の第１，第２の転送レートより速く設定されている。
【００３５】
一方、トラック・バッファメモリ１９は、コントロールデータから読み出した記録時の圧縮レートに基づいて第１，第２の情報信号Ａ，Ｂの転送レートＲａ，Ｒｂを設定し、この転送レートＲａ，Ｒｂにより第１，第２の情報信号Ａ，ＢをＡＶ−ＥＮＤＥＣ２０側に転送している。この後、ＡＶ−ＥＮＤＥＣ２０内のデコーダは、第１，第２の情報信号Ａ，Ｂをそれぞれの圧縮レートに基づいて伸張して両情報信号Ａ，Ｂを図示しないディスプレイとかスピーカにより同時に再生している。
【００３６】
ここで、図５及び図６を用いて情報信号再生装置の動作について説明する。尚、図６では、第１，第２の情報信号Ａ，Ｂの転送レートＲａ，Ｒｂは図示の都合上同一の転送レートで図示しているが、両者が異なる場合でも同じ傾向を示すものである。
【００３７】
まず、ステップＳ３１では、再生のフローを開始する。
【００３８】
次に、ステップＳ３２では、光ピックアップ１４が光ディスク１３上で再生したい場所となる第１の領域１３ａ中で１番目のアドレス領域Ａ１（目的位置）に至ったか否かを確認する。ここで、アドレス領域Ａ１（目的位置）に至っていない場合はこのステップＳ３２を更に続行し、アドレス領域Ａ１（目的位置）に至った場合は次のステップＳ３３に進む。
【００３９】
次に、ステップＳ３３では、光ピックアップ１４が第１の領域１３ａ中で１番目のアドレス領域Ａ１から再生を開始して第１の情報信号Ａを転送レートＲｐでトラック・バッファメモリ１９内の第１の領域１９ａに一時的に記憶させる。この際、システムコントローラ２２（図１）は、トラック・バッファメモリ１９内の第１の領域１９ａのＥＭＰＴＹ値とＦＵＬＬ値とを常に監視しており、最初の１回目のサイクルだけ第１の情報信号ＡがＥＭＰＴＹ値に至るまで転送レートＲｐで記憶される。
【００４０】
次に、ステップＳ３４では、トラック・バッファメモリ１９内の第１の領域１９ａに記憶した第１の情報信号ＡがＥＭＰＴＹ値に至ったか否かを問い、ＥＭＰＴＹ値に至っていない場合にはステップＳ３３の動作を引き続き行い、ＥＭＰＴＹ値に至った場合には次のステップＳ３５に進む。
【００４１】
次に、ステップＳ３５では、第１の情報信号ＡがＥＭＰＴＹ値を越えたら第１の情報信号Ａが転送レートＲａでＡＶ−ＥＮＤＥＣ２０側に読み出されるので、図６に示したようにＥＭＰＴＹ値とＦＵＬＬ値との間では第１の情報信号Ａがトラック・バッファメモリ１９の第１の領域１９ａに書き込まれる転送レートＲｐと、第１の情報信号Ａが第１の領域１９ａからＡＶ−ＥＮＤＥＣ２０側に読み出される転送レートＲａの差分（Ｒｐ−Ｒａ）の傾斜で増加しながら第１の情報信号Ａが第１の領域１９ａに一時的に記憶される。
【００４２】
次に、ステップＳ３６では、トラック・バッファメモリ１９内の第１の領域１９ａに記憶された第１の情報信号ＡがＦＵＬＬ値に至ったか否かを問い、ＦＵＬＬ値に至っていない場合にはステップＳ３５に戻り、ＦＵＬＬ値に至った場合には次のステップＳ３７に進む。
【００４３】
次に、ステップＳ３７では、トラック・バッファメモリ１９内の第１の領域１９ａに記憶された第１の情報信号ＡがＦＵＬＬ値に至ったので、光ピックアップ１４は光ディスク１３上の第１の領域１３ａ中で１番目のアドレス領域Ａ１での再生を中止する。ここで、第１の情報信号Ａの再生が中止された段階から、トラック・バッファメモリ１９内の第１の領域１９ａに記憶された第１の情報信号ＡがＡＶ−ＥＮＤＥＣ２０側に転送レートＲａで引き続き読み出されるが、この読み出し動作は図６から明らかなようにＥＭＰＴＹ値に至るまでの期間が第１の領域１３ａ中で２番目のアドレス領域Ａ２を再生開始する前までに終了すれば良い。
【００４４】
次に、ステップＳ３８では、光ピックアップ１４が次に再生する光ディスク１３上の第２の領域１３ｂ中で１番目のアドレス領域Ｂ１に移動する。この際、光ピックアップ１４が光ディスク１３上の第１の領域１３ａ中で１番目のアドレス領域Ａ１から第２の領域１３ｂ中で１番目のアドレス領域Ｂ１に移動するシーク時間Ｔａｂは同一の信号面間内では最大で約０．５秒以内である。
【００４５】
一般的には、光ディスク１３上の第１の領域１３ａと第２の領域１３ｂは、前記したように図１３に示すような光ディスク１３の信号層のＬ０上、又は光ディスク１３の信号層のＬ１上であり、この場合は同一の信号面間内での移動となる。しかし、光ディスク１３の第１の領域１３ａは信号層のＬ０上で、第２の領域１３ｂは信号層のＬ１上である場合や、この逆の関係場合においては、上記のシーク時間Ｔａｂに層間のピックアップの焦点を移動するフォーカスジャンプをする時間Ｆａｂが加わる。
これを、図１５を用いて一般的に説明する。図１５においてタイプ１の移動は、単層ディスクまたは図１３のパラレルディスクの２層ディスクにおいて、１つの信号層の上で信号を記録又は再生する手順を示している。説明が前後するが、２層ディスクの信号層Ｌ１の再生において、図５のフローチャートに対応する第１の情報信号Ａを１３ａの領域からステップＳ３３にて再生し、次にステップＳ３８にて第２の情報信号Ｂを１３ｂの領域に移動する。次に第２の情報信号Ｂを１３ｂの領域をステップＳ４０にて再生し、次にステップＳ４５にて次に再生すべき第１の情報信号Ａの１３ａ１領域に移動する。
【００４６】
次に図１５のタイプ２の移動は、図１３のオポジットディスクの２層ディスクにおいて、信号層Ｌ０と信号層Ｌ１の２つの信号層の上で信号を記録又は再生する手順を示している。２層ディスクの信号層Ｌ０と信号層Ｌ１の再生において、図５のフローチャートに対応する信号層Ｌ０の第１の情報信号Ａの１３ａの領域からステップＳ３３にて再生し、次にステップＳ３８にて第２の情報信号Ｂを１３ｂの領域に対応する位置付近に移動し、ステップＳ３８ａにて信号層Ｌ０から信号層Ｌ１にフォーカス方向にフォーカスジャンプし、第２の情報信号Ｂの１３ｂの領域に移動する。次に信号層Ｌ１の第２の情報信号Ｂを１３ｂの領域をステップＳ４０にて再生し、次にステップＳ４５にて次に再生すべき信号層Ｌ０の第１の情報信号Ａの１３ａ１領域に対応する位置付近に移動し、ステップＳ４５ａにて信号層Ｌ１から信号層Ｌ０にフォーカス方向にフォーカスジャンプし、次に再生すべき第１の情報信号Ａの１３ａ１の領域に移動する。このように、１つの信号層内での移動に対して、２つの信号層に跨る移動の場合には、信号層間を移動する時間が加わることで信号の記録又は再生に用いられる時間の関係が異なることになる。実際に信号層から異なる信号層にフォーカス方向にフォーカスジャンプするに要する時間は安定時間を含めると最大で約０．２秒（実際の信号層間のジャンプ時間は数から数十ｍｓｅｃで終了するが、トラッキングの再度の引き込み時間、偏心が信号層間で異なる場合の偏心を補正するために必要な時間、リトライの時間、回転待ちの時間等を総合すると最悪で０．２秒程度の余裕が必要である。）以内であり、前記した同一の信号面間内でのシーク時間は最大で約０．５秒に比較しても無視できない範囲の時間である。
【００４７】
以降の説明における実施例に中でも同様に、１つの信号層内での記録又は再生の処理の場合と、２つの信号層に跨る記録又は再生の処理の場合とがあるが、以降の説明についても本説明と同様に行われるので詳細な説明を省略する。
【００４８】
次に、ステップＳ３９では、光ピックアップ１４が光ディスク１３上の第２の領域１３ｂのアドレス領域Ｂ１（目的位置）に至ったか否かを確認する。ここで、アドレス領域Ｂ１（目的位置）に至っていない場合はこのステップＳ３９を更に続行し、アドレス領域Ｂ１（目的位置）に至った場合は次のステップＳ４０に進む。
【００４９】
次に、ステップＳ４０では、光ピックアップ１４は光ディスク１３上の第２の領域１３ｂ中で１番目のアドレス領域Ｂ１から再生を開始して第２の情報信号Ｂを転送レートＲｐでトラック・バッファメモリ１９内の第２の領域１９ｂに一時的に記憶させる。この際、最初の１回目のサイクルだけ第２の情報信号ＢがＥＭＰＴＹ値に至るまで転送レートＲｐで記憶される。
【００５０】
次に、ステップＳ４１では、トラック・バッファメモリ１９内の第２の領域１９ｂに記憶した第２の情報信号ＢがＥＭＰＴＹ値に至ったか否かを問い、ＥＭＰＴＹ値に至っていない場合にはステップＳ４０の動作を引き続き行い、ＥＭＰＴＹ値に至った場合には次のステップＳ４２に進む。
【００５１】
次に、ステップＳ４２では、第２の情報信号ＢがＥＭＰＴＹ値を越えたら第２の情報信号Ｂが転送レートＲｂでＡＶ−ＥＮＤＥＣ２０側に読み出されるので、図６に示したようにＥＭＰＴＹ値とＦＵＬＬ値との間では第２の情報信号Ｂがトラック・バッファメモリ１９の第２の領域１９ｂに書き込まれる転送レートＲｐと、第２の情報信号Ｂが第２の領域１９ｂからＡＶ−ＥＮＤＥＣ２０側に読み出される転送レートＲｂの差分（Ｒｐ−Ｒｂ）の傾斜で増加しながら第２の情報信号Ｂが第２の領域１９ｂに一時的に記憶される。
【００５２】
次に、ステップＳ４３では、トラック・バッファメモリ１９内の第２の領域１９ｂに記憶された第２の情報信号ＢがＦＵＬＬ値に至ったか否かを問い、ＦＵＬＬ値に至っていない場合にはステップＳ４２に戻り、ＦＵＬＬ値に至った場合には次のステップＳ４４に進む。
【００５３】
次に、ステップＳ４４では、トラック・バッファメモリ１９内の第２の領域１９ｂに記憶された第２の情報信号ＢがＦＵＬＬ値に至ったので、光ピックアップ１４は光ディスク１３上の第２の領域１３ｂのアドレス領域Ｂ１での再生を中止する。ここで、第２の情報信号Ｂの再生が中止された段階から、トラック・バッファメモリ１９内の第２の領域１９ｂに記憶された第２の情報信号ＢがＡＶ−ＥＮＤＥＣ２０側に転送レートＲｂで引き続き読み出されるが、この読み出し動作は図６から明らかなようにＥＭＰＴＹ値に至るまでの期間が第２の領域１３ｂ中で２番目のアドレス領域Ｂ２を再生開始する前までに終了すれば良い。
【００５４】
次に、ステップＳ４５では、光ピックアップ１４が次に再生する光ディスク１３上の第１の領域１３ａ中で２番目のアドレス領域Ａ２に移動する。（異なる信号層に移動する場合にはフォーカスジャンプＳ４５ａが別途追加になる）この際、光ピックアップ１４が光ディスク１３上の第２の領域１３ｂ中で１番目のアドレス領域Ｂ１から第１の領域１３ａ中で２番目のアドレス領域Ａ２に移動するシーク時間Ｔｂａは最大で０．５秒以内である。（異なる信号層に移動する場合にはフォーカスジャンプＳ４５ａを加えるとシーク時間Ｔｂａ＋フォーカスジャンプ時間最大０．２秒以内で計は最大で０．７秒以内である。）
そして、光ピックアップ１４が光ディスク１３上の第１の領域１３ａ中で２番目の領域Ａ２に至ったらステップＳ３２に戻り以下同様に繰り返せば、光ピックアップ１４によって第１，第２の情報信号Ａ，Ｂをアドレス領域Ａ１，Ｂ１，Ａ２，Ｂ２，Ａ３，Ｂ３，……の順に時分割で交互に連続して再生できる。
【００５５】
尚、光ピックアップ１４による再生を全部中止するフローは、ステップ３７の後、又は、ステップ４４の後で問い合わせれば良いが動作が複雑になるので、ここでは省略している。
【００５６】
また、上記した再生のフローにおいて、トラック・バッファメモリ１９は最初の１回目のサイクルで空状態からＥＭＰＴＹ値に至るが、２回目以降のサイクルではＥＭＰＴＹ値とＦＵＬＬ値の間で記録容量Ｙａを有する第１の情報信号Ａと記録容量Ｙｂを有する第２の情報信号Ｂを記憶することになる。
【００５７】
さて、ここで、光ディスク１３から第１の情報信号Ａと第２の情報信号Ｂをトラック・バッファメモリ１９を介して時分割して同時に再生する時の、トラック・バッファメモリ１９内の第１，第２の領域１９ａ，１９ｂ内への書き込みと読み出しを例にとって、２つの信号の再生、記録再生、記録をどのように制御するかを説明する。
【００５８】
最初に関係する変数を以下のように定義する。
【００５９】
光ピックアップ１４からトラック・バッファメモリ１９に対して第１，第２の情報信号Ａ，Ｂを読み出す時の読み出し転送レート…Ｒｐ（Ｍｂｐｓ）
第１の情報信号Ａをトラック・バッファメモリ１９の第１の領域１９ａからＡＶ−ＥＮＤＥＣ２０側に読み出す平均の転送レートＲａ…Ｒａ（Ｍｂｐｓ）
第２の情報信号Ｂをトラック・バッファメモリ１９の第２の領域１９ｂからＡＶ−ＥＮＤＥＣ２０側に読み出す平均の転送レートＲｂ…Ｒｂ（Ｍｂｐｓ）
トラック・バッファメモリ１９の必要最小の記憶容量…Ｙｍ（Ｍｂｉｔ）
光ディスク１３上の第１の領域１３ａに記録した第１の情報信号Ａを読み出す時の再生情報単位量…Ｙａ（Ｍｂｉｔ）
光ディスク１３上の第２の領域１３ｂに記録した第２の情報信号Ｂを読み出す時の再生情報単位量…Ｙｂ（Ｍｂｉｔ）
光ピックアップ１４が光ディスク１３上の１つの信号面内の第１の領域１３ａから第２の領域１３ｂに移動に要するシーク時間…Ｔａｂ（ｓ）
光ピックアップ１４が光ディスク１３上の１つの信号面内の第２の領域１３ｂから第１の領域１３ａに移動に要するシーク時間…Ｔｂａ（ｓ）
光ピックアップ１４が光ディスク１３上の異なる信号面の第１の領域１３ａから第２の領域１３ｂに移動に要するシーク（フォーカスジャンプ）時間…Ｆａｂ（ｓ）
光ピックアップ１４が光ディスク１３上の異なる信号面の第２の領域１３ｂから第１の領域１３ａに移動に要するシーク（フォーカスジャンプ）時間…Ｆｂａ（ｓ）
ここでのシーク時間Ｔａｂ（Ｔｂａ）とは、光ディスク１３上の１つの信号面内の領域１３ａ（１３ｂ）で情報信号Ａ（Ｂ）の再生終了位置で再生を中止し、次の領域１３ｂ（１３ａ）まで光ピックアップ１４が移動する時間と、次の領域１３ｂ（１３ａ）に移動した光ピックアップ１４がこの領域１３ｂ（１３ａ）中の目的のトラック上のアドレスを確認して再生のための準備作業を終了し、次の情報信号Ｂ（Ａ）の再生を開始するまでの時間とを合計した時間を示している。
【００６０】
２つの信号層間で行うシークの場合は、図１５に示すように前記のシーク時間Ｔａｂ（Ｔｂａ）に加えて、光ディスク１３上の信号面間を移動するフォーカスジャンプ時間Ｆａｂを加えることになる。
【００６１】
基本的な考え方として、光ディスク１３から光ピックアップ１４により時分割で再生した第１，第２の情報信号Ａ，Ｂをトラック・バッファメモリ１９に記憶する転送レートＲｐに対して、トラック・バッファメモリ１９の第１の領域１９ａから第１の情報信号ＡをＡＶ−ＥＮＤＥＣ２０側に読み出す平均の転送レートＲaと、トラック・バッファメモリ１９の第２の領域１９ｂから第２の情報信号ＢをＡＶ−ＥＮＤＥＣ２０側に読み出す平均の転送レートＲｂとの和はこれを越えてはならない。
これを式で表すと、
Ｒｐ＞Ｒａ＋Ｒｂ                                …（１式）
となる。
【００６２】
次に、光ピックアップ１４が光ディスク１３上からトラック・バッファメモリ１９に第１の情報信号Ａを再生する（書き込む）再生時間Ｔａ（ｓ）は、
Ｔａ＝Ｙａ／Ｒｐ                                  …（２式）
光ピックアップ１４が光ディスク１３上からトラック・バッファメモリ１９に第２の情報信号Ｂを再生する（書き込む）再生時間Ｔｂ（ｓ）は、
Ｔｂ＝Ｙｂ／Ｒｐ                                  …（３式）
である。
【００６３】
また、光ピックアップ１４により光ディスク１３上から第１，第２の情報信号Ａ，Ｂを読み出す転送レートＲｐと、この転送レートＲｐから第１の情報信号Ａの転送レートＲａと第２の情報信号Ｂの転送レートＲｂとを引き算した差分値との比率を、
Ｒｐ／（Ｒｐ−Ｒａ−Ｒｂ）                      …（４式）
とおく。
この（４式）は読み出すときの最大の転送レートと余裕分の転送レートの比率である。
【００６４】
一方、第１，第２の情報信号Ａ，Ｂを再生して次に第１の情報信号Ａを再生するまでの１サイクル分の時間（例  図６のＡ１、Ｔａｂ、Ｂ１、Ｔｂａの区間（１周期）として１つの信号面内の場合しか図示していないが、２つの信号面間の場合は図１５から図６に当てはめるとＴａｂの区間は、Ｔａｂ＋Ｆａｂに、Ｔｂａの区間は、Ｔｂａ＋Ｆｂａに対応している。以降の実施例においても同様である。）と、この１サイクル期間中の合計シーク時間との比率を、
１信号面内の場合は、
（Ｔａ＋Ｔａｂ＋Ｔｂ＋Ｔｂａ）／（Ｔａｂ＋Ｔｂａ）…（５式）
２信号面間の場合は、
（Ｔａ＋Ｔａｂ＋Ｆａｂ＋Ｔｂ＋Ｔｂａ＋Ｆｂａ）／（Ｔａｂ＋Ｔｂａ＋Ｆａｂ＋Ｆｂａ）…（５ａ式）
とおく。
【００６５】
この１サイクルにおいて、第１，第２の情報信号Ａ，Ｂの再生時間と、２点間の合計シーク時間以外に、例えばピックアップが待機する時間等の余裕（待機）時間の無い限界の状態を想定する。
【００６６】
この時、媒体の転送レートから再生信号の転送レート引いたあまりの転送レートに相当する時間のみが、媒体の信号面からピックアップを移動することができる時間であるから、この（４式）と（５式）の意味するところの読み出し時の最大転送レートＲｐと転送レートの余裕分との比率（４式）と、１サイクル分の時間とこの１サイクル期間中でディスクから信号再生していない余裕時間である２点間の合計シーク時間との比率（５式）、（５ａ式）とを等しいとおくことができる。
【００６７】
全転送レート／余裕分転送レート＝１サイクル時間／余裕時間（シーク時間）
１信号面内の場合は、
Ｒｐ／（Ｒｐ−Ｒａ−Ｒｂ）＝（Ｔａ＋Ｔａｂ＋Ｔｂ＋Ｔｂａ）／（Ｔａｂ＋Ｔｂａ）
…（６式）
２信号面間の場合は、
Ｒｐ／（Ｒｐ−Ｒａ−Ｒｂ）＝（Ｔａ＋Ｔａｂ＋Ｆａｂ＋Ｔｂ＋Ｔｂａ＋Ｆｂａ）／（Ｔａｂ＋Ｔｂａ＋Ｆａｂ＋Ｆｂａ）                              …（６ａ式）
この（６式）を変形すると、
Ｒｐ／（Ｒｐ−Ｒａ−Ｒｂ）＝１＋（Ｔａ＋Ｔｂ）／（Ｔａｂ＋Ｔｂａ）…（６−１式）
Ｒｐ／（Ｒｐ−Ｒａ−Ｒｂ）−１＝（Ｔａ＋Ｔｂ）／（Ｔａｂ＋Ｔｂａ）…（６−２式）
（Ｒｐ−Ｒｐ＋Ｒａ＋Ｒｂ）／（Ｒｐ−Ｒａ−Ｒｂ）＝（Ｔａ＋Ｔｂ）／（Ｔａｂ＋Ｔｂａ）…（６−３式）
（Ｒａ＋Ｒｂ）／（Ｒｐ−Ｒａ−Ｒｂ）＝（Ｔａ＋Ｔｂ）／（Ｔａｂ＋Ｔｂａ）…（６−４式）
（Ｔａ＋Ｔｂ）＝（Ｒａ＋Ｒｂ）×（Ｔａｂ＋Ｔｂａ）／（Ｒｐ−Ｒａ−Ｒｂ）…（７式）
となる。
【００６８】
同様に、この（６ａ式）を変形すると、
（Ｔａ＋Ｔｂ）＝（Ｒａ＋Ｒｂ）×（Ｔａｂ＋Ｔｂａ＋Ｆａｂ＋Ｆｂａ）／（Ｒｐ−Ｒ                      ａ−Ｒｂ）
…（７ａ式）
となる。
この（７式）に（２式），（３式）を代入すると、
（Ｙａ＋Ｙｂ）＝Ｒｐ×（Ｒａ＋Ｒｂ）×（Ｔａｂ＋Ｔｂａ）／（Ｒｐ−Ｒａ−Ｒｂ）
…（８式）
となる。
【００６９】
同様に、この（７ａ式）に（２式），（３式）を代入すると、
（Ｙａ＋Ｙｂ）＝Ｒｐ×（Ｒａ＋Ｒｂ）×（Ｔａｂ＋Ｔｂａ＋Ｆａｂ＋Ｆｂａ）／（Ｒｐ−Ｒａ−Ｒｂ）                                            …（８ａ式）
となる。
この式の意味するところは、光ディスクから一定の転送レートＲｐで、転送レートＲａ（信号Ａ）と転送レートＲｂ（信号Ｂ）の２つの信号の再生を時分割で同時に連続的に行う場合、その２つの信号位置間のシーク時間をＴａｂ＋Ｔｂａ（Ｔａｂ＋Ｔｂａ＋Ｆａｂ＋Ｆｂａ）とした場合には、信号Ａと信号Ｂを光ディスクから一度に読み出すべき情報量はＹａ＋Ｙｂである。
【００７０】
これは前記の限界の状態を想定したものであるが、余裕を持つためには、以下のように考えられる。
【００７１】
上記の数式（８式）において、光ディスク１３とトラック・バッファメモリ１９間の転送レートＲｐはディスクの規格や装置の仕様に基づいて一定になっていて、転送レートＲｐを変更することはディスクの回転数を変更することと等価であり、再生信号の転送レート等の種類によって短時間で細かく変更することはできない。
【００７２】
また、トラック・バッファメモリ１９から読み出される第１，第２の情報信号Ａ，Ｂの転送レートＲａ，Ｒｂは光ディスク１３に記録した記録状態によって決定され、記録時においてもユーザー等の指定によって決定される。
【００７３】
更に、再生を行う光ディスク１３上のそれぞれのアドレス位置（物理的な距離関係）及び装置の機構的な仕様等によってシーク時間Ｔａｂ、Ｔｂａ（Ｆａｂ、Ｆｂａ）は決定される。
従って、この再生制御を余裕を持って安定に満足するためには、左辺のみが実質的に記録再生を行う場合の装置において唯一の変数であり、連続的に再生行するために信号Ａと信号Ｂを光ディスクから一度に読み出すべき最小の情報量である第１の情報信号Ａの情報量Ｙａ及び第２の情報信号Ｂの情報量Ｙｂは以下の（９式）（９ａ式）を満足しなければならない。
【００７４】
即ち、１信号面内の場合は、
（Ｙａ＋Ｙｂ）≧Ｒｐ×（Ｒａ＋Ｒｂ）×（Ｔａｂ＋Ｔｂａ）／（Ｒｐ−Ｒａ−Ｒｂ）…（９式）
２信号層間の場合は、
（Ｙａ＋Ｙｂ）≧Ｒｐ×（Ｒａ＋Ｒｂ）×（Ｔａｂ＋Ｔｂａ＋Ｆａｂ＋Ｆｂａ）／（Ｒｐ−Ｒａ−Ｒｂ）                                            …（９ａ式）
この（９式）を分かりやすくするために、変形する。
【００７５】
（Ｙａ＋Ｙｂ）≧（Ｒａ＋Ｒｂ）×（Ｔａｂ＋Ｔｂａ）×Ｒｐ／（Ｒｐ−Ｒａ−Ｒｂ）
…（９−１式）
これは、前記の転送レートの比Ｒｐ／（Ｒｐ−Ｒａ−Ｒｂ）に、余裕時間に相当するシーク時間（Ｔａｂ＋Ｔｂａ）を乗じ、更に再生すべき信号の転送レート（Ｒａ＋Ｒｂ）を乗じたものが、必要な情報量になることを意味していて、
（Ｔａｂ＋Ｔｂａ）×Ｒｐ／（Ｒｐ−Ｒａ−Ｒｂ）＝Ｋｐ…（９−２式）
として、Ｋｐを信号の転送レート等の係数とすれば、
（Ｙａ＋Ｙｂ）≧（Ｒａ＋Ｒｂ）×Ｋｐ            …（９−３式）
となる。
【００７６】
この（９−３式）において、仮にＲａ＋Ｒｂ＝一定の範囲でＲａとＲｂが変化してもＫｐの値は変化しない。また、情報量Ｙａは連続再生するためにはＲａに比例し、情報量Ｙｂは連続再生するためにはＲｂに比例することから、最小の情報量Ｙａと最小の情報量Ｙｂは転送レートＲａと転送レートＲｂの関係として、
Ｙａ：Ｙｂ＝Ｒａ：Ｒｂ                          …（９−４式）
となる。
この関係を（９−３式）に代入すると、それぞれ独立して、
Ｙａ≧Ｒａ×Ｋｐ                                …（９−５式）
Ｙｂ≧Ｒｂ×Ｋｐ                                …（９−６式）
を得ることができる。
【００７７】
これを（９−２式）を代入して元に戻すと、
Ｙａ≧Ｒｐ×Ｒａ×（Ｔａｂ＋Ｔｂａ）／（Ｒｐ−Ｒａ−Ｒｂ）…（１０式）
Ｙｂ≧Ｒｐ×Ｒｂ×（Ｔａｂ＋Ｔｂａ）／（Ｒｐ−Ｒａ−Ｒｂ）…（１１式）
となる。
【００７８】
同様に、
Ｙａ≧Ｒｐ×Ｒａ×（Ｔａｂ＋Ｔｂａ＋Ｆａｂ＋Ｆｂａ）／（Ｒｐ−Ｒａ−Ｒｂ）…（１０ａ式）
Ｙｂ≧Ｒｐ×Ｒｂ×（Ｔａｂ＋Ｔｂａ＋Ｆａｂ＋Ｆｂａ）／（Ｒｐ−Ｒａ−Ｒｂ）…（１１ａ式）
となる。
【００７９】
従って（９式）と共に（１０式），（１１式）も同時に満足することになる。
また、（９ａ式）と共に（１０ａ式），（１１ａ式）も同時に満足することになる。
【００８０】
ここで（１０式），（１１式）から数学的に（９式）は導けるが、（９式）から（１０式），（１１式）は数学的には導くことはできない。また（１０ａ式），（１１ａ式）から数学的に（９ａ式）は導けるが、（９ａ式）から（１０ａ式），（１１ａ式）は数学的には導くことはできない。
【００８１】
この式の意味するところは、１信号面内の場合は、光ディスクから一定の転送レートＲｐで、転送レートＲａ（信号Ａ）と転送レートＲｂ（信号Ｂ）の２つの信号の再生を時分割で同時に連続的に行う場合、その２つの信号位置間のシーク時間をＴａｂ＋Ｔｂａとした場合には、信号Ａと信号Ｂを光ディスクから一度に読み出すべき情報量はＹａ＋Ｙｂ以上であり、それぞれＹａ以上とＹｂ以上を読み出せば良いということを示している。
【００８２】
同様に記録をする際には、Ｙａ＋Ｙｂ以上の領域に記録することであり、それぞれＹａ以上とＹｂ以上の空き領域がないと、連続的に記録ができないことを示している。
【００８３】
２信号層間の場合は、光ディスクから一定の転送レートＲｐで、転送レートＲａ（信号Ａ）と転送レートＲｂ（信号Ｂ）の２つの信号の再生を時分割で同時に連続的に行う場合、その２つの信号位置間のシーク時間（全移動時間）をＴａｂ＋Ｔｂａ＋Ｆａｂ＋Ｆｂａとした場合には、信号Ａと信号Ｂを光ディスクから一度に読み出すべき情報量はＹａ＋Ｙｂ以上であり、それぞれＹａ以上とＹｂ以上を読み出せば良いということを示している。
【００８４】
同様に記録をする際には、Ｙａ＋Ｙｂ以上の領域に記録することであり、それぞれＹａ以上とＹｂ以上の空き領域がないと、連続的に記録ができないことを示している。
【００８５】
記録再生の制御においては、１信号面内での場合は（９式）を、２信号層間では（９ａ式）を満足しなければならず、（９ａ式）を満足していれば、１信号面内での場合も満足することができるから、常に（９ａ式）を満足するように記録再生の制御をする。この方が制御を簡単に行うことができるという利点がある。また、もう一つの例としては、１信号面内での場合に（９ａ式）を満足するように制御すると、１信号面内での制御においては  メモリーバッファーの領域を無駄にすることになるので、記録再生を行うときにアドレス情報に基づく信号層情報から、１信号面内での制御の場合と、２信号層間での制御の場合とに、それぞれ（９式）と（９ａ式）を使い分けて使用することにより、１信号面内での制御の場合にメモリーバッファーの領域を無駄にすることがなく、領域を有効に用い
ることができる利点がある。
【００８６】
（９式）と（９ａ式）に実数値を用いて計算をする。
Ｒｐ＝２２Ｍｂｐｓ、Ｒａ＝１０Ｍｂｐｓ、Ｒｂ＝１０Ｍｂｐｓ、Ｔａｂ＝０．５ｓ、Ｔｂａ＝０．５ｓ、Ｆａｂ＝０．２ｓ、Ｆｂａ＝０．２ｓとすると、
１信号面内の場合は、
（Ｙａ＋Ｙｂ）≧２２×（１０＋１０）×（０．５＋０．５）／（２２−１０−１０）＝２２０Ｍｂ                                                …（９ｒ式）
２信号層間の場合は、
（Ｙａ＋Ｙｂ）≧２２×（１０＋１０）×（０．５＋０．５＋０．２＋０．２）／（２２−１０−１０）＝３０８Ｍｂ                                …（９ａｒ式）
となり、１信号面内の場合は、媒体上から一度に再生等をしなければならない情
報量が（Ｙａ＋Ｙｂ）＝２２０Ｍｂであるのに対して、２信号層間の場合は、（Ｙａ＋Ｙｂ）＝３０８Ｍｂで十分無視できない値であることが分かる。
【００８７】
本実施例では２層の光ディスクの信号面間についての説明をしているが、以上のように、３層以上の複数の信号層を有する光ディスクでも全く同様であることは言うまでもない。尚、信号間の移動（フォーカスジャンプ）の具体的方法については、本出願人の特開平１０−２８３６４０に記載されている方法を使用すれば実現することができる。
【００８８】
次に、トラック・バッファメモリ１９が必要とする基本的な最小の記憶容量Ｙｍは、１つの信号面内の場合は、図６に示す第１の情報信号ＡのバッファーがＦＵＬＬからＥＭＰＴＹになるまでの容量
（Ｔｂ＋Ｔａｂ＋Ｔｂａ）×Ｒａ                    …（１２−１式）
第２の情報信号ＡのバッファーがＦＵＬＬからＥＭＰＴＹになるまでの容量
（Ｔａ＋Ｔａｂ＋Ｔｂａ）×Ｒｂ                    …（１２−２式）
の和を越える必要があり、
Ｙｍ＞（Ｔｂ＋Ｔａｂ＋Ｔｂａ）×Ｒａ＋（Ｔａ＋Ｔａｂ＋Ｔｂａ）×Ｒｂ…（１２式）
となる。
【００８９】
２つの信号面間の場合は、図６に示す第１の情報信号ＡのバッファーがＦＵＬＬからＥＭＰＴＹになるまでの容量
（Ｔｂ＋Ｔａｂ＋Ｔｂａ＋Ｆａｂ＋Ｆｂａ）×Ｒａ    …（１２−１ａ式）
第２の情報信号ＡのバッファーがＦＵＬＬからＥＭＰＴＹになるまでの容量
（Ｔａ＋Ｔａｂ＋Ｔｂａ＋Ｆａｂ＋Ｆｂａ）×Ｒｂ    …（１２−２ａ式）
の和を越える必要があり、
Ｙｍ＞（Ｔｂ＋Ｔａｂ＋Ｔｂａ＋Ｆａｂ＋Ｆｂａ）×Ｒａ＋（Ｔａ＋Ｔａｂ＋Ｔｂａ＋Ｆａｂ＋Ｆｂａ）×Ｒｂ                                      …（１２ａ式）
となる。
【００９０】
又は、図６で示す第１の情報信号ＡのバッファーがＥＭＰＴＹからＦＵＬＬになるまでの容量
Ｔａ×（Ｒｐ−Ｒａ）                              …（１３−１式）
図６で示す第１の情報信号ＡのバッファーがＥＭＰＴＹからＦＵＬＬになるまでの容量
Ｔｂ×（Ｒｐ−Ｒｂ）                              …（１３−２式）
の和越える必要があり、
Ｙｍ＞Ｔａ×（Ｒｐ−Ｒａ）＋Ｔｂ×（Ｒｐ−Ｒｂ）…（１３式）
となる。
【００９１】
上記（１２式）は、上記（２式）、（３式）と、（１０式）と（１１式）を等式として代入し、
Ｙｍ＞（Ｙｂ／Ｒｐ＋Ｔａｂ＋Ｔｂａ）×Ｒａ＋（Ｙａ／Ｒｐ＋Ｔａｂ＋Ｔｂａ）×Ｒｂ…（１２―３式）
Ｙｍ＞（Ｙｂ／Ｒｐ）×Ｒａ＋（Ｙａ／Ｒｐ）×Ｒｂ＋（Ｔａｂ＋Ｔｂａ）×（Ｒａ＋Ｒｂ）…（１２―４式）
Ｙｍ＞２×Ｒａ×Ｒｂ×（Ｔａｂ＋Ｔｂａ）／（Ｒｐ−Ｒａ−Ｒｂ）＋（Ｔａｂ＋Ｔｂａ）×（Ｒａ＋Ｒｂ）                                        …（１２―５式）
Ｙｍ＞（２×Ｒａ×Ｒｂ／（Ｒｐ−Ｒａ−Ｒｂ）＋（Ｒａ＋Ｒｂ））×（Ｔａｂ＋Ｔｂａ）…（１２―６式）
Ｙｍ＞（２×Ｒａ×Ｒｂ＋（Ｒａ＋Ｒｂ）／（Ｒｐ−Ｒａ−Ｒｂ））×（Ｔａｂ＋Ｔｂａ）／（Ｒｐ−Ｒａ−Ｒｂ）                                  …（１２―７式）
Ｙｍ＞（（Ｒｐ−Ｒａ）Ｒａ＋（Ｒｐ−Ｒｂ）Ｒｂ）×（Ｔａｂ＋Ｔｂａ）／（Ｒｐ−Ｒａ−Ｒｂ）                                              …（１２―８式）
となる。
【００９２】
同様に、上記（１３式）は、上記（２式）、（３式）と、（１０式）と（１１式）を等式として代入し、
Ｙｍ＞Ｙａ／Ｒｐ×（Ｒｐ−Ｒａ）＋Ｙｂ／Ｒｐ×（Ｒｐ−Ｒｂ）…（１３−３式）
Ｙｍ＞（（Ｒｐ−Ｒａ）Ｒａ＋（Ｒｐ−Ｒｂ）Ｒｂ）×（Ｔａｂ＋Ｔｂａ）／（Ｒｐ−Ｒａ−Ｒｂ）                                              …（１３−４式）
結局、（１２式）（１３式）とも等価で、
Ｙｍ＞｛（Ｒｐ−Ｒａ）×Ｒａ＋（Ｒｐ−Ｒｂ）×Ｒｂ｝×（Ｔａｂ＋Ｔｂａ）／（Ｒｐ−Ｒａ−Ｒｂ）                                              …（１４式）
となる。
２つの信号面間の場合も、導出は省略するが、
Ｙｍ＞｛（Ｒｐ−Ｒａ）×Ｒａ＋（Ｒｐ−Ｒｂ）×Ｒｂ｝×（Ｔａｂ＋Ｔｂａ＋Ｆａｂ＋Ｆｂａ）／（Ｒｐ−Ｒａ−Ｒｂ）                              …（１４ａ式）
従って、１つの信号面内の場合は、第１の情報信号Ａのためのトラック・バッファメモリ１９の第１の領域１９ａは（Ｒｐ−Ｒａ）×Ｒａ×（Ｔａｂ＋Ｔｂａ）／（Ｒｐ−Ｒａ−Ｒｂ）以上確保してこの範囲でＥＭＰＴＹ値とＦＵＬＬ値を決定し、第２の情報信号Ｂのためのトラック・バッファメモリ１９の第２の領域１９ｂは（Ｒｐ−Ｒｂ）×Ｒｂ×（Ｔａｂ＋Ｔｂａ）／（Ｒｐ−Ｒａ−Ｒｂ）以上確保してこの範囲でＥＭＰＴＹ値とＦＵＬＬ値を決定することにより連続的な再生動作または記録動作が実現可能となる。
【００９３】
２つの信号面間の場合は、第１の情報信号Ａのためのトラック・バッファメモリ１９の第１の領域１９ａは（Ｒｐ−Ｒａ）×Ｒａ×（Ｔａｂ＋Ｔｂａ＋Ｆａｂ＋Ｆｂａ）／（Ｒｐ−Ｒａ−Ｒｂ）以上確保してこの範囲でＥＭＰＴＹ値とＦＵＬＬ値を決定し、第２の情報信号Ｂのためのトラック・バッファメモリ１９の第２の領域１９ｂは（Ｒｐ−Ｒｂ）×Ｒｂ×（Ｔａｂ＋Ｔｂａ＋Ｆａｂ＋Ｆｂａ）／（Ｒｐ−Ｒａ−Ｒｂ）以上確保してこの範囲でＥＭＰＴＹ値とＦＵＬＬ値を決定することにより連続的な再生動作または記録動作が実現可能となる。
【００９４】
同様に、このＹｍの値は、リトライ処理やショックプルーフ・メモリとしての機能やそれ以外のシステム的な余裕を計算していないので、少なくともこの値以上の値を確保する必要がある。
【００９５】
ここで、トラック・バッファメモリ１９は本実施例では図１の信号処理回路１８に接続されている６４ＭＢのトラック・バッファメモリ１９であっても、当然この図１のＡＶ−ＥＮＤＥＣ２０に接続されている６４ＭＢのバッファメモリ２１の一部を同様にトラック・バッファメモリとして使用してもかまわないし、両方のバッファメモリを有効に用いても、またこれをそれぞれのバッファメモリの使用状況に応じて適応的に使い分けてもかまわない。
【００９６】
つまり、トラック・バッファメモリ１９は光ディスク１３等の情報信号記録媒体に対する光ピックアップ１４による再生信号の転送レートと、映像等の圧縮伸張された信号の転送レートの差を吸収するものである。しかし、本実施例では特に図１の信号処理回路１８に接続されている６４ＭＢのトラック・バッファメモリ１９を例として用いて、第１の情報信号Ａと第２の情報信号Ｂとが必要とする記録容量を、１つのトラック・バッファメモリ１９を分割して、かつ計算結果として余った領域をその比率で配分して使用することにより、それぞれのトラックバッファとしての余裕度を高めることが出来る。
【００９７】
例えば、第１の情報信号Ａの転送レートＲａを８Ｍｂｐｓとして、この第１の情報信号Ａに対してトラック・バッファメモリ１９の第１の領域１９ａの必要な記憶容量を３２ＭＢとし、一方、第２の情報信号Ｂの転送レートＲｂを４Ｍｂｐｓとして、この第２の情報信号Ａに対してトラック・バッファメモリ１９の第２の領域１９ｂの必要な記憶容量を１６ＭＢとすると、６４ＭＢの余った領域である残りの１６ＭＢを余らせておくのではなく、約１０ＭＢ対５ＭＢで２対１に分割して、トラック・バッファメモリ１９の第１の領域１９ａの記憶容量を３２ＭＢ＋１０ＭＢ＝４２ＭＢとし、トラック・バッファメモリ１９の第２の領域１９ｂの記憶容量を１６ＭＢ＋５ＭＢ＝２１ＭＢとすることにより、トラック・バッファメモリ１９を有効に使用することが出来る。これによって、２つの連続的な情報信号Ａ，Ｂの同時記録再生等の処理が実現できる。
【００９８】
また、トラック・バッファメモリ１９として、いずれか１つの情報信号Ａ又は情報信号Ｂの通常再生時には、トラック・バッファメモリ１９の全体の６４ＭＢを１つのトラックバッファとして用いる。この処理を再生を管理するシステムコントローラ２２にて、再生の指示によりトラック・バッファメモリ１９への第１，第２の領域１９ａ，１９ｂの確保を行う。これにより、通常の再生の動作でのリトライ等のプレーヤビリティを向上する事が出来る。なお、これら第１，第２の領域１９ａ，１９ｂの分割のタイミングは、再生の入力の指示があった時点で、トラック・バッファメモリ１９の中にあるデータを確認し、再生中の途中データが無いことを確認した時点で行う。このタイミングとしては、再生処理が行わている途中で例えば再生する情報信号Ａ，Ｂの転送レートＲａ，Ｒｂが変更になった時点で、同様にトラック・バッファメモリ１９の中にあるデータを確認し、再生録中の途中データが無いことを確認した時点で行う。これにより、情報信号Ａ，Ｂの転送レートＲａ，Ｒｂが変更された時点でリアルタイムにトラック・バッファメモリ１９の余裕度を最適にすることが出来る。
【００９９】
ここで再生専用の光ディスク１３の場合には、前記した光ピックアップ１４によるシーク時間Ｔａｂ，Ｔｂａの最大許容時間Ｔｍａｘ＝（Ｔａｂ・ｍａｘ），（Ｔｂａ・ｍａｘ）は、製造メーカ間でのバラッキを押さえるために規格化されている場合、この最大許容時間（Ｔａｂ・ｍａｘ），（Ｔｂａ・ｍａｘ）は共に同じ値で例えば記録型のＤＶＤ用の光ディスク１３では０．５秒に設定されているとする。
これを、上記した条件を先に説明した（９式）に当てはめると、
１つの信号面内の場合、
（Ｙａ＋Ｙｂ）≧Ｒｐ×（Ｒａ＋Ｒｂ）×２×Ｔｍａｘ／（Ｒｐ−Ｒａ−Ｒｂ）…（１９式）
この（１９式）にＴｍａｘ＝０．５秒を代入すると、
（Ｙａ＋Ｙｂ）≧Ｒｐ×（Ｒａ＋Ｒｂ）／（Ｒｐ−Ｒａ−Ｒｂ）            …（２０式）
となるものであり、（１９式）又は（２０式）の条件を満足するように光ディスク１３上の第１，第２の領域１３ａ，１３ｂに、記録容量Ｙａ，Ｙｂをそれぞれ有する第１，第２の情報信号Ａ，Ｂを予め記録すれば良いものである。
【０１００】
同様に、２つの信号面間の場合、前記に加えて前記した光ピックアップ１４によるフォーカスジャンプ時間Ｆａｂ，Ｆｂａの最大許容時間Ｆｍａｘ＝（Ｆａｂ・ｍａｘ），（Ｆｂａ・ｍａｘ）は、製造メーカ間でのバラッキを押さえるために規格化されている場合、この最大許容時間（Ｆａｂ・ｍａｘ），（Ｆｂａ・ｍａｘ）は共に同じ値で例えば記録型のＤＶＤ用の光ディスク１３では０．２秒に設定されているとする。
これを、上記した条件を先に説明した（９ａ式）に当てはめると、
（Ｙａ＋Ｙｂ）≧Ｒｐ×（Ｒａ＋Ｒｂ）×２×（Ｔｍａｘ＋Ｆｍａｘ）／（Ｒｐ−Ｒａ−Ｒｂ）
…（１９ａ式）
この（１９ａ式）にＴｍａｘ＝０．５秒とＦｍａｘ＝０．２秒を代入すると、
（Ｙａ＋Ｙｂ）≧１．４×Ｒｐ×（Ｒａ＋Ｒｂ）／（Ｒｐ−Ｒａ−Ｒｂ）…（２０ａ式）
となるものであり、（１９ａ式）又は（２０ａ式）の条件を満足するように光ディスク１３上のそれぞれの信号面の第１，第２の領域１３ａ，１３ｂに、記録容量Ｙａ，Ｙｂをそれぞれ有する第１，第２の情報信号Ａ，Ｂを予め記録すれば良いものである。
【０１０１】
＜情報信号記録装置＞
図７は第１，第２の情報信号を光ディスクに記録する形態を適用した情報信号記録装置を模式的に示した図、図８は第１，第２の情報信号を光ディスクに記録する状態を示したフローチャート、図９は第１，第２の情報信号を光ディスクに記録する状態を示したタイミングチャートである。
【０１０２】
情報信号記録装置は、先に説明した情報信号再生装置と技術的思想は同じであり、入出力関係が情報信号再生装置に対して逆になるものである。
【０１０３】
図７に示した如く、情報信号記録装置は、第１，第２の転送レートＲａ，Ｒｂでトラック・バッファメモリ１９の第１，第２の領域１９ａ，１９ｂにそれぞれ入力した第１，第２の情報信号Ａ，Ｂを、光ピックアップ１４により第１，第２の転送レートＲａ，Ｒｂより速い一定の転送レートで光ディスク１３上の第１，第２の領域１３ａ，１３ｂ（２つの層の信号面に記録する場合には信号面間に前記のようにフォーカスジャンプにより移動して）に時分割で記録動作を行うものである。
【０１０４】
即ち、光ディスク１３は記録再生可能に形成されており、この光ディスク１３上には記録容量Ｙａを有する第１の情報信号Ａを記録するための第１の領域１３ａと、記録容量Ｙｂを有する第２の情報信号Ｂを記録するための第２の領域１３ｂ（第１の領域１３ａと第２の領域１３ｂは２つの層の信号面に分かれている場合もある）とが予め用意されている。
【０１０５】
また、先に情報信号再生装置で説明したと同様に、図４に示した如く、光ディスク１３上の第１の領域１３ａは、後述するシーク時間が守れる範囲内で複数の領域に分離され且つ各領域ごとにアドレスＡ１，Ａ２，Ａ３，…が付与されて第１の情報信号Ａをそれぞれ分割して記録できるようになっている。同様に、光ディスク１３上の第２の領域１３ｂも後述するシーク時間が守れる範囲内で複数に分離され且つ各領域ごとにアドレスＢ１，Ｂ２，Ｂ３，…が付与されて第２の情報信号Ｂをそれぞれ分割して記録できるようになっている。また、ここでも各アドレス領域Ａ１，Ａ２，Ａ３，…の容量が記録容量Ｙａとそれぞれ一致し、各アドレス領域Ｂ１，Ｂ２，Ｂ３，…の容量が記録容量Ｙｂとそれぞれ一致するものである。
この際、最初に記録する第１の領域１３ａ中で１番目のアドレス領域Ａ１と次に記録する第２の領域１３ｂ中で１番目のアドレス領域Ｂ１との間は、光ピックアップ１４が同一信号面内では０．５秒以内に移動できる範囲設定されており、異なる信号層に移動する場合はこれに０．２秒を加算すれば移動できる範囲設定されていて、言い換えると、全体的には第１の情報信号Ａと次に記録する第２の情報信号Ｂとの間を移動する光ピックアップ１４のシーク時間は最大で０．５秒以内（２層の信号面間では０．７秒）である。
【０１０６】
また、光ディスク１３の記録時に、ＡＶ−ＥＮＤＥＣ２０内のＭＰＥＧエンコーダは、第１，第２の情報信号Ａ，Ｂの転送レートＲａ，Ｒｂをユーザーが指定する記録モード（高画質用の転送レート８Ｍｂｐｓ，やや高画質用の転送レート４Ｍｂｐｓ，普通画質用の転送レート２Ｍｂｐｓ）により設定可能になっており、記録すべき第１，第２の情報信号Ａ，ＢをＡＶ−ＥＮＤＥＣ２０から信号処理回路２０（図１）に接続した６４ＭＢのトラック・バッファメモリ１９の第１，第２の領域１９ａ，１９ｂに一時的に記憶させ、この時は光ピックアップ１４は待機状態として所定の記録すべき光ディスク１３上のトラックでキック待ちの状態としている。そして、トラック・バッファメモリ１９の各領域１９ａ，１９ｂ内の残量の制御を行いながら、トラック・バッファメモリ１９の各領域１９ａ，１９ｂの容量がＦＵＬＬ値になったら、光ディスク１３への記録時にエラー訂正コード、アドレスやシンク信号を加えて訂正単位のトラック・バッファメモリ１９の第１の領域１９ａに記憶した第１の情報信号Ａと、トラック・バッファメモリ１９の第２の領域１９ｂに記憶した第２の情報信号Ｂとを時分割で交互に読み出して、光ピックアップ１４により一定の転送レートＲｐで読み出した第１の情報信号Ａを光ディスク１３上の第１の領域１３ａに、第２の情報信号Ｂを光ディスク１３上の第２の領域１３ｂに時分割でそれぞれ交互に記録している。これを繰り返して、連続的な記録を行っている。
【０１０７】
ここで、図８及び図９を用いて情報信号記録装置の動作について説明する。尚、図９では、第１，第２の情報信号Ａ，Ｂの転送レートＲａ，Ｒｂは図示の都合上同一の転送レートで図示しているが、両者が異なる場合でも同じ傾向を示すものである。
【０１０８】
まず、ステップＳ５１では、記録のフローを開始する。
【０１０９】
次に、ステップＳ５２では、光ピックアップ１４が光ディスク１３上で記録したい場所となる第１の領域１３ａ中で１番目のアドレス領域Ａ１（目的位置）に至ったか否かを確認する。ここで、アドレス領域Ａ１（目的位置）に至っていない場合はこのステップＳ５２を更に続行し、アドレス領域Ａ１（目的位置）に至った場合は次のステップＳ５３に進む。
【０１１０】
次に、ステップＳ５３では、ＡＶ−ＥＮＤＥＣ２０側から転送レートＲａで送られた第１の情報信号Ａをトラック・バッファメモリ１９の第１の領域１９ａに一時的に記憶させる。この際、システムコントローラ２２（図１）は、トラック・バッファメモリ１９内の第１の領域１９ａのＥＭＰＴＹ値とＦＵＬＬ値とを常に監視しており、第１の情報信号ＡがＦＵＬＬ値に至るまで転送レートＲａで記憶される。
【０１１１】
次に、ステップＳ５４では、トラック・バッファメモリ１９内の第１の領域１９ａに記憶した第１の情報信号ＡがＦＵＬＬ値に至ったか否かを問い、ＦＵＬＬ値に至っていない場合にはステップＳ５３の動作を引き続き行い、ＦＵＬＬ値に至った場合には次のステップＳ５５に進む。
【０１１２】
次に、ステップＳ５５では、第１の情報信号ＡがＦＵＬＬ値になったら第１の情報信号Ａが一定の転送レートＲｐで光ピックアップ１４側に読み出されるので、図９に示したようにＦＵＬＬ値とＥＭＰＴＹ値との間では第１の情報信号Ａが差分（Ｒｐ−Ｒａ）の傾斜で減少しながら第１の情報信号Ａが光ピックアップ１４によって一定の転送レートＲｐで光ディスク１３上の第１の領域１３ａに記録される。
【０１１３】
次に、ステップＳ５６では、トラック・バッファメモリ１９内の第１の領域１９ａに記憶された第１の情報信号ＡがＥＭＰＴＹ値に至ったか否かを問い、ＥＭＰＴＹ値に至っていない場合にはステップＳ５５に戻り、ＥＭＰＴＹ値に至った場合には次のステップＳ５７に進む。
【０１１４】
次に、ステップＳ５７では、トラック・バッファメモリ１９内の第１の領域１９ａに記憶された第１の情報信号ＡがＥＭＰＴＹ値に至ったので、光ピックアップ１４は光ディスク１３上の第１の領域１３ａ中で１番目のアドレス領域Ａ１での記録を中止する。ここで、第１の情報信号Ａの記録が中止された段階から、トラック・バッファメモリ１９内の第１の領域１９ａに第１の情報信号ＡがＡＶ−ＥＮＤＥＣ２０側から転送レートＲａで引き続き送られるが、この書き込み動作は図９から明らかなようにＦＵＬＬ値に至るまでの期間が第１の領域１３ａ中で２番目のアドレス領域Ａ２を記録開始する前までに終了すれば良い。
【０１１５】
次に、ステップＳ５８では、光ピックアップ１４が次に記録する光ディスク１３上の第２の領域１３ｂ中で１番目のアドレス領域Ｂ１に移動する（異なる信号層に移動する場合は前記のようにフォーカスジャンプを行い信号面間を移動する）。この際、光ピックアップ１４が光ディスク１３上の第１の領域１３ａ中で１番目のアドレス領域Ａ１から第２の領域１３ｂ中で１番目のアドレス領域Ｂ１に移動するシーク時間Ｔａｂ（図９（図６、図１２も同様）においてシーク時間としてはＴａｂとＴｂａしか記載していないが異なる信号層に移動する場合は前記のようにフォーカスジャンプのＦａｂ、Ｆｂａを含む時間関係を示している。）は最大で０．５秒以内（異なる信号層に移動する場合は最大で０．７秒以内）である。
【０１１６】
次に、ステップＳ５９では、光ピックアップ１４が光ディスク１３上の第２の領域１３ｂのアドレス領域Ｂ１（目的位置）に至ったか否かを確認する。ここで、アドレス領域Ｂ１（目的位置）に至っていない場合はこのステップＳ５９を更に続行し、アドレス領域Ｂ１（目的位置）に至った場合は次のステップＳ６０に進む。
【０１１７】
次に、ステップＳ６０では、ＡＶ−ＥＮＤＥＣ２０側から転送レートＲｂで送られた第２の情報信号Ｂがトラック・バッファメモリ１９の第２の領域１９ｂにＦＵＬＬ値に至るまで転送レートＲｂで一時的に記憶される。
【０１１８】
次に、ステップＳ６１では、トラック・バッファメモリ１９内の第２の領域１９ｂに記憶した第２の情報信号ＢがＦＵＬＬ値に至ったか否かを問い、ＦＵＬＬ値に至っていない場合にはステップＳ６０の動作を引き続き行い、ＦＵＬＬ値に至った場合には次のステップＳ６２に進む。
【０１１９】
次に、ステップＳ６２では、第２の情報信号ＢがＦＵＬＬ値になったら第２の情報信号Ｂが一定の転送レートＲｐで光ピックアップ１４側に読み出されるので、図９に示したようにＦＵＬＬ値とＥＭＰＴＹ値との間では第２の情報信号Ｂが差分（Ｒｐ−Ｒｂ）の傾斜で減少しながら第２の情報信号Ｂが光ピックアップ１４によって一定の転送レートＲｐで光ディスク１３上の第２の領域１３ｂに記録される。
【０１２０】
次に、ステップＳ６３では、トラック・バッファメモリ１９内の第２の領域１９ｂに記憶された第２の情報信号ＢがＥＭＰＴＹ値に至ったか否かを問い、ＥＭＰＴＹ値に至っていない場合にはステップＳ６２に戻り、ＥＭＰＴＹ値に至った場合には次のステップＳ６４に進む。
【０１２１】
次に、ステップＳ６４では、トラック・バッファメモリ１９内の第２の領域１９ｂに記憶された第２の情報信号ＢがＥＭＰＴＹ値に至ったので、光ピックアップ１４は光ディスク１３上の第２の領域１３ｂのアドレス領域Ｂ１での記録を中止する。ここで、第２の情報信号Ｂの記録が中止された段階から、トラック・バッファメモリ１９内の第２の領域１９ｂに第２の情報信号ＢがＡＶ−ＥＮＤＥＣ２０側から引き続き送られるが、この書き込み動作は図９から明らかなようにＦＵＬＬ値に至るまでの期間が第２の領域１３ｂ中で２番目のアドレス領域Ｂ２を記録開始する前までに終了すれば良い。
【０１２２】
次に、ステップＳ６５では、光ピックアップ１４が次に記録する光ディスク１３上の第１の領域１３ａ中で２番目のアドレス領域Ａ２に移動する。この際、光ピックアップ１４が光ディスク１３上の第２の領域１３ｂ中で１番目のアドレス領域Ｂ１から第１の領域１３ａ中で２番目のアドレス領域Ａ２に移動するシーク時間Ｔｂａは最大で０．５秒以内である。
そして、光ピックアップ１４が光ディスク１３上の第１の領域１３ａ中で２番目の領域Ａ２に至ったらステップＳ５２に戻り以下同様に繰り返せば、光ピックアップ１４によって第１，第２の情報信号Ａ，Ｂをアドレス領域Ａ１，Ｂ１，Ａ２，Ｂ２，Ａ３，Ｂ３，……の順に時分割で交互に連続して記録できる。
【０１２３】
尚、光ピックアップ１４による記録を全部中止するフローは、ステップ５７の後、又は、ステップ６４の後で問い合わせれば良いが動作が複雑になるので、ここでは省略している。
【０１２４】
また、上記した記録のフローにおいて、トラック・バッファメモリ１９は最初の１回目のサイクルで空状態からＦＵＬＬ値に至るが、２回目以降のサイクルではＥＭＰＴＹ値とＦＵＬＬ値の間で記録容量Ｙａを有する第１の情報信号Ａと記録容量Ｙｂを有する第２の情報信号Ｂを記憶することになる。
【０１２５】
そして、上記した情報信号記録装置では、入出力の関係が逆になるももの、先に説明した（１式）乃至（１８式）を満たすものであり、ここでの詳述を省略する。
【０１２６】
＜情報信号記録再生装置＞
図１０は第１，第２の情報信号を光ディスクに記録する形態を適用した情報信号記録装置を模式的に示した図、図１１は第１，第２の情報信号を光ディスクに記録する状態を示したフローチャート、図１２は第１，第２の情報信号を光ディスクに記録する状態を示したタイミングチャートである。
【０１２７】
図１０に示した如く、情報信号記録再生装置は、先に説明した情報信号記録装置と情報信号再生装置とを組み合わせたものであり、第１，第２の転送レートＲａ，Ｒｂを有する第１，第２の情報信号Ａ，Ｂのうちでいずれか一方の情報信号Ａ（Ｂ）を光ディスク１３上の一方の領域１３ａ（１３ｂ）から光ピックアップ１４により時分割で再生して第１，第２の転送レートＲａ，Ｒｂより速い一定の転送レートＲｐでトラック・バッファメモリ１９の一方の領域１９ａ，（１９ｂ）に記憶させ、他方の情報信号Ｂ（Ａ）をトラック・バッファメモリ１９の他方の領域１９ｂ，（１９ａ）から光ピックアップ１４により一定の転送レートＲｐで読み出して光ディスク１３上の他方の領域１３ｂ（１３ａ）に時分割で記録している。
【０１２８】
ここで、図１１及び図１２を用いて情報信号記録再生装置の動作について説明する。尚、図１２では、第１，第２の情報信号Ａ，Ｂの転送レートＲａ，Ｒｂは図示の都合上同一の転送レートで図示しているが、両者が異なる場合でも同じ傾向を示すものである。
【０１２９】
まず、ステップＳ７１では、記録再生のフローを開始する。
【０１３０】
次に、ステップＳ７２では、光ピックアップ１４が光ディスク１３上で再生したい場所となる第１の領域１３ａ中で１番目のアドレス領域Ａ１（目的位置）に至ったか否かを確認する。ここで、アドレス領域Ａ１（目的位置）に至っていない場合はこのステップＳ７２を更に続行し、アドレス領域Ａ１（目的位置）に至った場合は次のステップＳ７３に進む。
【０１３１】
次に、ステップＳ７３では、光ピックアップ１４が第１の領域１３ａ中で１番目のアドレス領域Ａ１から再生を開始して第１の情報信号Ａを転送レートＲｐでトラック・バッファメモリ１９内の第１の領域１９ａに一時的に記憶させる。この際、システムコントローラ２２（図１）は、トラック・バッファメモリ１９内の第１の領域１９ａのＥＭＰＴＹ値とＦＵＬＬ値とを常に監視しており、最初の１回目のサイクルだけ第１の情報信号ＡがＥＭＰＴＹ値に至るまで転送レートＲｐで記憶される。
【０１３２】
次に、ステップＳ７４では、トラック・バッファメモリ１９内の第１の領域１９ａに記憶した第１の情報信号ＡがＥＭＰＴＹ値に至ったか否かを問い、ＥＭＰＴＹ値に至っていない場合にはステップＳ７３に戻り、一方、ＥＭＰＴＹ値に至った場合には次のステップＳ７５に進む。
【０１３３】
次に、ステップＳ７５では、第１の情報信号ＡがＥＭＰＴＹ値を越えたら第１の情報信号Ａが転送レートＲａでＡＶ−ＥＮＤＥＣ２０（図１）側に読み出されるので、図１２に示したようにＥＭＰＴＹ値とＦＵＬＬ値との間では第１の情報信号Ａがトラック・バッファメモリ１９の第１の領域１９ａに書き込まれる転送レートＲｐと、第１の情報信号Ａが第１の領域１９ａからＡＶ−ＥＮＤＥＣ２０側に読み出される転送レートＲａの差分（Ｒｐ−Ｒａ）の傾斜で増加しながら第１の情報信号Ａが第１の領域１９ａに一時的に記憶される。
【０１３４】
次に、ステップＳ７６では、トラック・バッファメモリ１９内の第１の領域１９ａに記憶された第１の情報信号ＡがＦＵＬＬ値に至ったか否かを問い、ＦＵＬＬ値に至っていない場合にはステップＳ７５に戻り、一方、ＦＵＬＬ値に至った場合には次のステップＳ７７に進む。
【０１３５】
次に、ステップＳ７７では、トラック・バッファメモリ１９内の第１の領域１９ａに記憶された第１の情報信号ＡがＦＵＬＬ値に至ったので、光ピックアップ１４は光ディスク１３上の第１の領域１３ａ中で１番目のアドレス領域Ａ１での再生を中止する。ここで、第１の情報信号Ａの再生が中止された段階から、トラック・バッファメモリ１９内の第１の領域１９ａに記憶された第１の情報信号ＡがＡＶ−ＥＮＤＥＣ２０側に転送レートＲａで引き続き読み出されるが、この読み出し動作は図１２から明らかなようにＥＭＰＴＹ値に至るまでの期間が第１の領域１３ａ中で２番目のアドレス領域Ａ２を再生開始する前までに終了すれば良い。
【０１３６】
次に、ステップＳ７８では、光ピックアップ１４が次に第２の情報信号Ｂを記録するために光ディスク１３上の第２の領域１３ｂ中で１番目のアドレス領域Ｂ１に移動する。（異なる信号層に移動する場合は前記のようにフォーカスジャンプを行い信号面間を移動する）この際、光ピックアップ１４が光ディスク１３上の第１の領域１３ａ中で１番目のアドレス領域Ａ１から第２の領域１３ｂ中で１番目のアドレス領域Ｂ１に移動するシーク時間Ｔａｂ（図１２（図６、図９も同様）においてシーク時間としてはＴａｂとＴｂａしか記載していないが異なる信号層に移動する場合は前記のようにフォーカスジャンプのＦａｂ、Ｆｂａを含む時間関係を示している。）は最大で０．５秒以内（異なる信号層に移動する場合は最大で０．７秒以内）である。
【０１３７】
次に、ステップＳ７９では、光ピックアップ１４が光ディスク１３上の第２の領域１３ｂのアドレス領域Ｂ１（目的位置）に至ったか否かを確認する。ここで、アドレス領域Ｂ１（目的位置）に至っていない場合はこのステップＳ７９を更に続行し、アドレス領域Ｂ１（目的位置）に至った場合は次のステップＳ８０に進む。
【０１３８】
次に、ステップＳ８０では、ＡＶ−ＥＮＤＥＣ２０側から転送レートＲｂで送られた第２の情報信号Ｂがトラック・バッファメモリ１９の第２の領域１９ｂにＦＵＬＬ値に至るまで転送レートＲｂで一時的に記憶される。
【０１３９】
次に、ステップＳ８１では、トラック・バッファメモリ１９内の第２の領域１９ｂに記憶した第２の情報信号ＢがＦＵＬＬ値に至ったか否かを問い、ＦＵＬＬ値に至っていない場合にはステップＳ８０に戻り、一方、ＦＵＬＬ値に至った場合には次のステップＳ８２に進む。
【０１４０】
次に、ステップＳ８２では、第２の情報信号ＢがＦＵＬＬ値になったら第２の情報信号Ｂが一定の転送レートＲｐで光ピックアップ１４側に読み出されるので、図１２に示したようにＦＵＬＬ値とＥＭＰＴＹ値との間では第２の情報信号Ｂが差分（Ｒｐ−Ｒｂ）の傾斜で減少しながら第２の情報信号Ｂが光ピックアップ１４によって一定の転送レートＲｐで光ディスク１３上の第２の領域１３ｂに記録される。
【０１４１】
次に、ステップＳ８３では、トラック・バッファメモリ１９内の第２の領域１９ｂに記憶された第２の情報信号ＢがＥＭＰＴＹ値に至ったか否かを問い、ＥＭＰＴＹ値に至っていない場合にはステップＳ８２に戻り、一方、ＥＭＰＴＹ値に至った場合には次のステップＳ８４に進む。
【０１４２】
次に、ステップＳ８４では、トラック・バッファメモリ１９内の第２の領域１９ｂに記憶された第２の情報信号ＢがＥＭＰＴＹ値に至ったので、光ピックアップ１４は光ディスク１３上の第２の領域１３ｂのアドレス領域Ｂ１での記録を中止する。ここで、第２の情報信号Ｂの記録が中止された段階から、トラック・バッファメモリ１９内の第２の領域１９ｂに第２の情報信号ＢがＡＶ−ＥＮＤＥＣ２０側から引き続き送られるが、この書き込み動作は図１２から明らかなようにＦＵＬＬ値に至るまでの期間が第２の領域１３ｂ中で２番目のアドレス領域Ｂ２を記録開始する前までに終了すれば良い。
【０１４３】
次に、ステップＳ８５では、光ピックアップ１４が次に第１の情報信号Ａを再生するために光ディスク１３上の第１の領域１３ａ中で２番目のアドレス領域Ａ２に移動する。この際、光ピックアップ１４が光ディスク１３上の第２の領域１３ｂ中で１番目のアドレス領域Ｂ１から第１の領域１３ａ中で２番目のアドレス領域Ａ２に移動するシーク時間Ｔｂａは最大で０．５秒以内である。
【０１４４】
そして、光ピックアップ１４が光ディスク１３上の第１の領域１３ａ中で２番目の領域Ａ２に至ったらステップＳ７２に戻り以下同様に繰り返せば、光ピックアップ１４によって第１，第２の情報信号Ａ，Ｂをアドレス領域Ａ１，Ｂ１，Ａ２，Ｂ２，Ａ３，Ｂ３，……の順に時分割で交互に連続して記録再生できる。この際、光ディスク１３上の第２の領域１３ｂ内の空き領域に記録した第２の情報信号Ｂのアドレス情報を記録終了後に管理領域１３ｃに記録している。
【０１４５】
尚、光ピックアップ１４による記録再生を全部中止するフローは、ステップ７９の後、又は、ステップ８６の後で問い合わせれば良いが動作が複雑になるので、ここでは省略している。
【０１４６】
また、上記した２つの情報信号の時分割記録再生のフローにおいて、トラック・バッファメモリ１９の第２の領域１９ｂは最初の１回目のサイクルで空状態からＦＵＬＬ値に至るが、２回目以降のサイクルではＥＭＰＴＹ値とＦＵＬＬ値の間で記録容量Ｙｂを有する第２の情報信号Ｂを記憶することになる。
【０１４７】
そして、上記した情報信号記録再生装置でも、先に説明した（１式）乃至（１８式）を満たすものであり、ここでの詳述を省略する。
【０１４８】
ここで、上記した情報信号記録再生装置において、例えば、最初に光ディスク１３から第１の情報信号Ａを再生している状態で、新たな第２の情報信号Ｂを記録する場合に、記録すべき第２の情報信号Ｂを入力し、第２の情報信号Ｂの転送レートＲｂを入力し設定することになる。この際、システムコントローラ２２は入力された第２の情報信号Ｂの転送レートＲｂの設定値と、現在再生している第１の情報信号Ａの転送レートＲａ及び光ディスク１３の管理領域の記録のための空き領域と、予め装置としてＲＯＭに記録されているシーク時間を、先に説明した（９式），（１０式），（１１式）又は（９ａ式），（１０ａ式），（１１ａ式）に入れて、記録のための最小記録領域の容量を決定する。
【０１４９】
例えば、光ディスク１３に広い未記録領域しか無い場合は、前記の最小記録領域の容量は問題にならないが、編集を繰り返す等で、小さな未記録領域が点在するような場合は、前記の最小記録領域の容量よりも大きな空き領域の場合のみ記録でき、それより小さな空き領域では記録が出来ないことになる。
【０１５０】
このように、有効に領域が確保出来ない等の場合は、記録する第２の情報信号Ｂの転送レートＲｂとして指定された転送レートを下げ、これをユーザーに知らせ、この下げた値にて前記したように記録を行うことも可能である。
【０１５１】
＜第２実施例＞
図１４は本発明に係る第２実施例の情報信号通信装置の全体構成を説明するためのブロック図である。
尚、説明の便宜上、先に示した構成部材と同一構成部材に対しては同一の符号を付して適宜説明し、且つ、新たな構成部材に新たな符号を付す共に、この第２実施例では第１実施例と異なる点を中心に説明する。
【０１５２】
先に説明した第１実施例の情報信号記録及び／又は再生装置１０Ａが映像信号や音声信号を圧縮して伸張を行う光ディスクプレーヤであるのに対して、図１４に示した本発明に係る第２実施例の情報信号通信装置２５Ａでは圧縮伸張のブロックを持たない光ディスクドライブの構成である点と、この光ディスクドライブに設けたトラック・バッファメモリ１９の出力側に外部との通信接続を行うＡＴＡＰＩインターフェース２６設けている点と、外部には詳細な記載は省略するがホストコンピュータとして、本実施例の動作を具現化するためのプログラムを記載したプログラムＲＯＭとこれを動作させるＲＡＭとＣＰＵと周辺のハードウェアと各要素間に信号を連結するためのバス等を有するホスト２７と、ＡＶ−ＥＮＤＥＣ（オーディオ・ビデオ／エンコーダ・デコーダ）２０の圧縮伸張のブロックとが接続されている点とが異なるが、それ以外の部分は第１実施例と同様である。尚、上記した光ディスクドライブは、第１実施例の情報信号記録及び／又は再生装置１０ＡにおいてＡＶ−ＥＮＤＥＣ２０，バッファメモリ２１，キー２３を除いたものである。本実施例において詳細な説明をしている動作を具現化するためのプログラムを記載したプログラムＲＯＭは、本装置内のプログラムＲＯＭにマスクＲＯＭ等として記録されているのみではなく、ＣＤ−ＲＯＭディスクやＤＶＤ−ＲＯＭディスク記録されていて、外部装置から前記のＲＡＭに読み込まれることによって実行されるようになされた実施例も本実施例に含まれる。
【０１５３】
より具体的には、ＡＴＡＰＩインターフェース２６内にＩ／Ｆブロックがあり、また、ＡＶ−ＥＮＤＥＣ２０のＩ／Ｆ部分にＩ／Ｆブロックがあり、ＡＴＡＰＩインターフェース２６で接続し、コンピュータ周辺ディスク記憶装置のコマンドを規定している業界団体のマウントフジ（Ｍｔ．Ｆｕｊｉ）のコマンド体系を基本に光ディスクドライブの制御を行っている。
【０１５４】
つまり、先に説明した第１実施例においては、光ディスクプレーヤ１０の記録時に入力した第１，第２の情報信号Ａ，Ｂを分析してそれぞれの転送レートＲａ，Ｒｂを決定し、また、光ディスクプレーヤ１０の再生時に光ディスク１３の記録状態から第１，第２の情報信号Ａ，Ｂの転送レートＲａ，Ｒｂを計算により決定していたが、本発明の第２実施例においては、光ディスクドライブにキー入力部や光ディスク１３からのコントロールデータのデコード部を持たないために、記録時には記録する第１，第２の情報信号Ａ，Ｂの転送レートＲａ，Ｒｂがホスト側からＡＴＡＰＩインターフェース２６内のＩ／Ｆブロックを介して入力される。
【０１５５】
この際、記録処理の場合、例えば転送レート２Ｍｂｐｓのビデオ信号が入力されると、ホスト２７はＡＶ−ＥＮＤＥＣ２０のＩ／Ｆ部にその内容を転送し、下記のように記録コマンドと記録開始アドレス等の情報に加えて、前記の信号の転送レートフラグを光ディスクドライブに転送する。これを、光ディスクドライブの信号処理部分でデコードして、その種類に応じて前記のように記録処理を行う。
【０１５６】
次に、再生処理の場合、前記のようにマウントフジのコマンド体系に基づいて、再生のコマンドに従って、光ディスク１３の所定のアドレスに記録されている例えばビデオ信号を再生する。このデータをホスト２７が解釈し、前記のように転送レートを計算する。そして、例えば転送レート２Ｍｂｐｓのビデオ信号であることを、ホスト２７はＡＶ−ＥＮＤＥＣ２０内のＩ／Ｆ部にその内容を転送し、下記のように再生コマンドに加えて、前記の信号の転送レートフラグを転送する。これを、信号処理部分でデコードして、その転送レートに応じて前記のように再生処理を行う。
【０１５７】
なお、通信を行う実施例として外部との通信接続を行うＡＴＡＰＩインターフェース２６を用いて説明したが、ＩＥＥＥ１３９４等の規格でも良く、また、このようなケーブルも用いた通信以外の電波や光を利用した通信でもよい。また、記録再生されるべき信号は、映像データを主に説明したが、音声や音楽データでも、静止画、サブピクチャーでも良くまたこれらを復号した復号信号でも良いことは言うまでもない。つまり、ここで言う転送レートとは、平均的にデータをある程度の範囲の転送レートで転送しないと情報として成立しない範囲のデータの転送レートを示している。また、本実施例では、光ディスク１３を中心に説明しているが、例えば磁気ディスク装置のように複数のディスクと複数のヘッドを持ちこれを交互に切り換えながら、記録再生を行う装置にも適用でき、また、ディスクは螺旋状の連続的なトラックを想定しているが、同様に磁気ディスク装置のように複数の同心円状のトラックからなる場合も適用出来る。この場合は、連続的な記録再生においてトラックのキック動作が入るが、この動作もシーク時間として考えれば同様に適応可能である。また、記録再生の手順や、表示の内容ついては一実施例に過ぎずこの範囲に限定されるものではない。
【０１５８】
また、ここで信号の転送レートとは、ビデオやオーディオ等の連続的な信号を中心に説明しているが、所定の時間の中で処理されなければ意味をなさないコンピュータデータ等は、連続的なデータに属するし、一般的には時間軸上で画質等により刻々と変化する可変転送レートや固定転送レートを含んでいる。
【図面の簡単な説明】
【０１５９】
【図１】本発明に係る第１実施例の情報信号記録及び／又は再生装置の全体構成を説明するためのブロック図である。
【図２】本発明に係る第１実施例の情報信号記録及び／又は再生装置において、光ディスク上の第１，第２の領域と、トラック・バッファメモリ上の第１，第２の領域との間で、第１，第２の情報信号を一つの光ピックアップにより時分割で記録及び／又は再生する状態を模式的に示した図である。
【図３】第１，第２の情報信号を光ディスクから再生する形態を適用した情報信号再生装置を模式的に示した図である。
【図４】光ディスク上で第１，第２の領域のアドレスを示した図である。
【図５】第１，第２の情報信号を光ディスクから再生する状態を示したフローチャートである。
【図６】第１，第２の情報信号を光ディスクから再生する状態を示したタイミングチャートである。
【図７】第１，第２の情報信号を光ディスクに記録する形態を適用した情報信号記録装置を模式的に示した図である。
【図８】第１，第２の情報信号を光ディスクに記録する状態を示したフローチャートである。
【図９】第１，第２の情報信号を光ディスクに記録する状態を示したタイミングチャートである。
【図１０】第１，第２の情報信号を光ディスクに記録再生する形態を適用した情報信号記録装置を模式的に示した図である。
【図１１】第１，第２の情報信号を光ディスクに記録再生する状態を示したフローチャートである。
【図１２】第１，第２の情報信号を光ディスクに記録再生する状態を示したタイミングチャートである。
【図１３】本発明に係る２つの信号層を有する光ディスクのアドレスの配置を模式的に示した図である。
【図１４】本発明に係る第２実施例の情報信号通信装置の全体構成を説明するためのブロック図である。
【図１５】本発明に係る第１実施例の２つの信号層を有する光ディスク上の第１，第２の領域において、一つの光ピックアップにより時分割で記録及び／又は再生し、移動する状態を模式的に示した図である。
【符号の説明】
【０１６０】
１０Ａ，１０Ｂ…情報信号記録及び／又は再生装置、
１３…情報信号記録媒体（光ディスク）、
１３ａ…第１の領域、１３ｂ…第１の領域、
１４…ヘッド（光ピックアップ）、
１９…トラック・バッファメモリ、
１９ａ…第１の領域、１９ｂ…第１の領域、
２０…オーディオ・ビデオ／エンコーダ・デコーダ（ＡＶ−ＥＮＤＥＣ）、
２５Ａ，２５Ｂ……情報信号通信装置、
２６…ＡＴＡＰＩインターフェース。
【図１】
2004192787.tif 000003
【図２】
2004192787.tif 000004
【図３】
2004192787.tif 000005
【図４】
2004192787.tif 000006
【図５】
2004192787.tif 000007
【図６】
2004192787.tif 000008
【図７】
2004192787.tif 000009
【図８】
2004192787.tif 000010
【図９】
2004192787.tif 000011
【図１０】
2004192787.tif 000012
【図１１】
2004192787.tif 000013
【図１２】
2004192787.tif 000014
【図１３】
2004192787.tif 000015
【図１４】
2004192787.tif 000016
【図１５】
2004192787.tif 000017